(57)【特許請求の範囲】
【請求項１】
無線通信システムにおいて制御情報を送信するための方法であって、
制御チャネルによって用いられる時間ドメインリソースを基地局が決定する段階であって、前記制御チャネルは、複数のユーザ機器ＵＥの制御情報を送信し、前記時間ドメインリソースは、複数のビームのポーリング時間を含む、段階と、
前記複数のビームの前記ポーリング時間内に前記複数のユーザ機器ＵＥの前記制御情報を前記基地局が受信又は送信する段階であって、前記複数のユーザ機器ＵＥのそれぞれの制御情報は、それぞれのユーザ機器ＵＥに対応するビームを通じて送信される、段階と
を備える、方法。
【請求項２】
前記複数のビームは、利用可能に構成された複数のビームであり、前記複数のビームの前記ポーリング時間内に前記複数のユーザ機器ＵＥの前記制御情報を前記基地局が前記受信又は送信する段階は、
第１のビームのポーリング時間内に前記第１のビームに対応する少なくとも１個のユーザ機器ＵＥによって送信されたアップリンク制御情報を、前記第１のビームの前記ポーリング時間内に前記基地局が受信する段階、又は、
第１のビームのポーリング時間内に前記第１のビームに対応する少なくとも１個のユーザ機器ＵＥへダウンリンク制御情報を前記基地局が送信する段階を有し、
前記第１のビームは、第１のビームセットにおけるビームであり、前記第１のビームセットは、前記利用可能に構成された複数のビームにおける、前記複数のユーザ機器ＵＥに対応する複数のビームを含む、請求項１に記載の方法。
【請求項３】
前記複数のビームは、利用可能に構成された複数のビームにおける、前記複数のユーザ機器ＵＥに対応する複数のビームであり、前記複数のビームの前記ポーリング時間内に前記複数のユーザ機器ＵＥの前記制御情報を前記基地局が前記受信又は送信する段階の前に、前記方法はさらに、
ブロードキャストメッセージを前記複数のユーザ機器ＵＥへ前記基地局が送信する段階をさらに備え、前記ブロードキャストメッセージは、前記複数のユーザ機器ＵＥに対応する複数のビームの本数を通知するのに用いられ、前記複数のユーザ機器ＵＥに対応する複数のビームの前記本数は、前記複数のユーザ機器ＵＥに対応する前記複数のビームの前記ポーリング時間を決定するために、前記複数のユーザ機器ＵＥによって用いられ、
前記複数のビームの前記ポーリング時間内に前記複数のユーザ機器ＵＥの前記制御情報を前記基地局が前記受信又は送信する段階は、
前記複数のユーザ機器ＵＥに対応する前記複数のビームの前記ポーリング時間内に第２のビームに対応する少なくとも１個のユーザ機器ＵＥによって送信されたアップリンク制御情報を、前記第２のビームのポーリング時間内に前記基地局が受信する段階、又は、
第２のビームのポーリング時間内に前記第２のビームに対応する少なくとも１個のユーザ機器ＵＥへダウンリンク制御情報を前記基地局が送信する段階を有し、
前記第２のビームは、前記複数のユーザ機器ＵＥに対応する前記複数のビームにおけるビームである、請求項１又は２に記載の方法。
【請求項４】
前記複数のビームは、利用可能に構成された複数のビームにおける、前記複数のユーザ機器ＵＥに対応する複数のビームであり、前記複数のビームの前記ポーリング時間内に前記複数のユーザ機器ＵＥの前記制御情報を前記基地局が前記受信又は送信する段階の前に、前記方法はさらに、
前記複数のユーザ機器ＵＥのそれぞれへ指示情報を前記基地局が送信する段階を備え、前記指示情報は、前記複数のユーザ機器ＵＥに対応する前記複数のビームにおける、前記複数のユーザ機器ＵＥのそれぞれに対応するビームのポーリングシーケンスを示すのに用いられ、
前記複数のビームの前記ポーリング時間内に前記複数のユーザ機器ＵＥの前記制御情報を前記基地局が前記受信又は送信する段階は、
第３のビームのポーリング時間内に前記第３のビームに対応する少なくとも１個のユーザ機器ＵＥによって送信されたアップリンク制御情報を、前記第３のビームの前記ポーリング時間内に前記基地局が受信する段階、又は
第３のビームのポーリング時間内に前記第３のビームに対応する少なくとも１個のユーザ機器ＵＥへダウンリンク制御情報を前記基地局が送信する段階を有し、
前記第３のビームは、前記複数のユーザ機器ＵＥに対応する前記複数のビームにおけるビームであり、前記第３のビームの前記ポーリング時間は、前記第３のビームのポーリングシーケンスに従って、前記第３のビームに対応する前記少なくとも１個のユーザ機器ＵＥによって決定される、請求項１又は２に記載の方法。
【請求項５】
無線通信システムにおいて制御情報を送信するための方法であって、
制御チャネルによって用いられる時間ドメインリソースをユーザ機器ＵＥが決定する段階であって、前記制御チャネルは、複数のユーザ機器ＵＥの制御情報を送信し、それぞれのユーザ機器ＵＥは前記複数のユーザ機器ＵＥのうちの１つであり、前記時間ドメインリソースは、複数のビームのポーリング時間を含む、段階と、
前記複数のビームの前記ポーリング時間内に前記ユーザ機器ＵＥの制御情報を前記ユーザ機器ＵＥが受信又は送信する段階と
を備える、方法。
【請求項６】
前記複数のビームは、利用可能に構成された複数のビームであり、前記複数のビームの前記ポーリング時間内に前記ユーザ機器ＵＥの制御情報を前記ユーザ機器ＵＥが前記受信又は送信する段階は、
前記ユーザ機器ＵＥに対応するビームのビーム識別子ＩＤに従って、前記利用可能に構成された複数のビームにおける、前記ユーザ機器ＵＥに対応する前記ビームのポーリング時間を前記ユーザ機器ＵＥが決定する段階と、
前記ユーザ機器ＵＥに対応する前記ビームの前記ポーリング時間内に前記ユーザ機器ＵＥの前記制御情報を前記ユーザ機器ＵＥが受信又は送信する段階と
を有する、請求項５に記載の方法。
【請求項７】
前記複数のビームは、利用可能に構成された複数のビームにおける、前記複数のユーザ機器ＵＥに対応する複数のビームであり、前記複数のビームの前記ポーリング時間内に前記ユーザ機器ＵＥの制御情報を前記ユーザ機器ＵＥが前記受信又は送信する段階の前に、前記方法はさらに、
基地局によって送信されたブロードキャストメッセージを前記ユーザ機器ＵＥが受信する段階を備え、前記ブロードキャストメッセージは、前記複数のユーザ機器ＵＥに対応する複数のビームの本数を通知するのに用いられ、
前記複数のビームの前記ポーリング時間内に前記ユーザ機器ＵＥの制御情報を前記ユーザ機器ＵＥが前記受信又は送信する段階は、
前記複数のユーザ機器ＵＥに対応する複数のビームの前記本数に従って、前記複数のユーザ機器ＵＥに対応する前記複数のビームの前記ポーリング時間を前記ユーザ機器ＵＥが決定する段階と、
前記複数のユーザ機器ＵＥに対応する前記複数のビームの前記ポーリング時間内に前記ユーザ機器ＵＥの前記制御情報を前記ユーザ機器ＵＥが受信又は送信する段階と
を有する、請求項５又は６に記載の方法。
【請求項８】
前記複数のビームは、利用可能に構成された複数のビームにおける、前記複数のユーザ機器ＵＥに対応する複数のビームであり、前記複数のビームの前記ポーリング時間内に前記ユーザ機器ＵＥの制御情報を前記ユーザ機器ＵＥが前記受信又は送信する段階の前に、前記方法はさらに、
基地局によって送信された指示情報を前記ユーザ機器ＵＥが受信する段階を備え、前記指示情報は、前記複数のユーザ機器ＵＥに対応する前記複数のビームにおける、前記ユーザ機器ＵＥに対応するビームのポーリングシーケンスを示すのに用いられ、
前記複数のビームの前記ポーリング時間内に前記ユーザ機器ＵＥの制御情報を前記ユーザ機器ＵＥによって前記受信又は送信する段階は、
前記複数のユーザ機器ＵＥに対応する前記複数のビームにおける、前記ユーザ機器ＵＥに対応する前記ビームの前記ポーリングシーケンスに従って、前記複数のユーザ機器ＵＥに対応する前記複数のビームにおける、前記ユーザ機器ＵＥに対応する前記ビームのポーリング時間を前記ユーザ機器ＵＥが決定する段階と、
前記ユーザ機器ＵＥに対応する前記ビームの前記ポーリング時間内に前記ユーザ機器ＵＥの前記制御情報を前記ユーザ機器ＵＥが受信又は送信する段階と
を有する請求項５又は６に記載の方法。
【請求項９】
制御チャネルによって用いられる時間ドメインリソースを判定する決定モジュールであって、前記制御チャネルは、複数のユーザ機器ＵＥの制御情報を送信し、前記時間ドメインリソースは、複数のビームのポーリング時間を含む、決定モジュールと、
前記決定モジュールによって決定された前記時間ドメインリソースに含まれる前記複数のビームの前記ポーリング時間内に、前記複数のユーザ機器ＵＥの前記制御情報を受信又は送信する送受信モジュールであって、前記複数のユーザ機器ＵＥのそれぞれの制御情報は、それぞれのユーザ機器ＵＥに対応するビームを通じて送信される、送受信モジュールと
を備える、基地局。
【請求項１０】
前記複数のビームは、利用可能に構成された複数のビームであり、前記送受信モジュールは具体的には、
第１のビームのポーリング時間内に前記第１のビームに対応する少なくとも１個のユーザ機器ＵＥによって送信されたアップリンク制御情報を、前記第１のビームの前記ポーリング時間内に受信するか、又は、
第１のビームのポーリング時間内に前記第１のビームに対応する少なくとも１個のユーザ機器ＵＥへダウンリンク制御情報を送信し、
前記第１のビームは、第１のビームセットにおけるビームであり、前記第１のビームセットは、前記利用可能に構成された複数のビームにおける、前記複数のユーザ機器ＵＥに対応する複数のビームを含む、請求項９に記載の基地局。
【請求項１１】
前記複数のビームは、利用可能に構成された複数のビームにおける、前記複数のユーザ機器ＵＥに対応する複数のビームであり、前記基地局はさらに、
ブロードキャストメッセージを前記複数のユーザ機器ＵＥへ送信する第１の送信モジュールを備え、前記ブロードキャストメッセージは、前記複数のユーザ機器ＵＥに対応する複数のビームの本数を通知するのに用いられ、前記複数のユーザ機器ＵＥに対応する複数のビームの前記本数は、前記複数のユーザ機器ＵＥに対応する前記複数のビームの前記ポーリング時間を決定するために、前記複数のユーザ機器ＵＥによって用いられ、
前記送受信モジュールは具体的には、
前記複数のユーザ機器ＵＥに対応する前記複数のビームの前記ポーリング時間内に第２のビームに対応する少なくとも１個のユーザ機器ＵＥによって送信されたアップリンク制御情報を、前記第２のビームのポーリング時間内に受信するか、又は、
第２のビームのポーリング時間内に前記第２のビームに対応する少なくとも１個のユーザ機器ＵＥへダウンリンク制御情報を送信し、
前記第２のビームは、前記複数のユーザ機器ＵＥに対応する前記複数のビームにおけるビームである、請求項９又は１０に記載の基地局。
【請求項１２】
前記複数のビームは、利用可能に構成された複数のビームにおける、前記複数のユーザ機器ＵＥに対応する複数のビームであり、前記基地局はさらに、
前記複数のユーザ機器ＵＥのそれぞれへ指示情報を送信する第２の送信モジュールを備え、前記指示情報は、前記複数のユーザ機器ＵＥに対応する前記複数のビームにおける、前記複数のユーザ機器ＵＥのそれぞれに対応するビームのポーリングシーケンスを示すのに用いられ、
前記送受信モジュールは具体的には、
第３のビームのポーリング時間内に前記第３のビームに対応する少なくとも１個のユーザ機器ＵＥによって送信されたアップリンク制御情報を、前記第３のビームの前記ポーリング時間内に受信するか、又は、
第３のビームのポーリング時間内に前記第３のビームに対応する少なくとも１個のユーザ機器ＵＥへダウンリンク制御情報を送信し、
前記第３のビームは、前記複数のユーザ機器ＵＥに対応する前記複数のビームにおけるビームであり、前記第３のビームの前記ポーリング時間は、前記第３のビームのポーリングシーケンスに従って、前記第３のビームに対応する前記少なくとも１個のユーザ機器ＵＥによって決定される、請求項９又は１０に記載の基地局。
【請求項１３】
制御チャネルによって用いられる時間ドメインリソースを決定する決定モジュールであって、前記制御チャネルは、複数のユーザ機器ＵＥの制御情報を送信し、それぞれのユーザ機器ＵＥは、前記複数のユーザ機器ＵＥのうちの１つであり、前記時間ドメインリソースは、複数のビームのポーリング時間を含む、決定モジュールと、
前記決定モジュールによって決定された前記時間ドメインリソースに含まれる前記複数のビームの前記ポーリング時間内に、前記ユーザ機器ＵＥの制御情報を受信又は送信する送受信モジュールと
を備える、ユーザ機器ＵＥ。
【請求項１４】
前記複数のビームは、利用可能に構成された複数のビームであり、前記決定モジュールはさらに、
前記ユーザ機器ＵＥに対応するビームのビーム識別子ＩＤに従って、前記利用可能に構成された複数のビームにおける、前記ユーザ機器ＵＥに対応する前記ビームのポーリング時間を決定し、
前記送受信モジュールは具体的には、
前記決定モジュールによって決定される、前記ユーザ機器ＵＥに対応する前記ビームの前記ポーリング時間内に、前記ユーザ機器ＵＥの前記制御情報を受信又は送信する、請求項１３に記載のユーザ機器ＵＥ。
【請求項１５】
前記複数のビームは、利用可能に構成された複数のビームにおける、前記複数のユーザ機器ＵＥに対応する複数のビームであり、前記ユーザ機器ＵＥはさらに、
基地局によって送信されたブロードキャストメッセージを受信する第１の受信モジュールを備え、前記ブロードキャストメッセージは、前記複数のユーザ機器ＵＥに対応する複数のビームの本数を通知するのに用いられ、
前記決定モジュールはさらに、
前記複数のユーザ機器ＵＥに対応する複数のビームの前記本数に従って、前記複数のユーザ機器ＵＥに対応する前記複数のビームの前記ポーリング時間を決定し、
前記送受信モジュールは具体的には、
前記決定モジュールによって決定される、前記複数のユーザ機器ＵＥに対応する前記複数のビームの前記ポーリング時間内に、前記ユーザ機器ＵＥの前記制御情報を受信又は送信する、請求項１３又は１４に記載のユーザ機器ＵＥ。
【請求項１６】
前記複数のビームは、利用可能に構成された複数のビームにおける、前記複数のユーザ機器ＵＥに対応する複数のビームであり、前記ユーザ機器ＵＥはさらに、
基地局によって送信された指示情報を受信する第２の受信モジュールを備え、前記指示情報は、前記複数のユーザ機器ＵＥに対応する前記複数のビームにおける、前記ユーザ機器ＵＥに対応するビームのポーリングシーケンスを示すのに用いられ、
前記決定モジュールはさらに、
前記第２の受信モジュールによって受信された前記指示情報により示される、前記複数のユーザ機器ＵＥに対応する前記複数のビームにおける、前記ユーザ機器ＵＥに対応する前記ビームの前記ポーリングシーケンスに従って、前記複数のユーザ機器ＵＥに対応する前記複数のビームにおける、前記ユーザ機器ＵＥに対応する前記ビームのポーリング時間を決定し、
前記送受信モジュールは具体的には、
前記決定モジュールによって決定される、前記ユーザ機器ＵＥに対応する前記ビームの前記ポーリング時間内に、前記ユーザ機器ＵＥの前記制御情報を受信又は送信する、請求項１３又は１４に記載のユーザ機器ＵＥ。
【発明の詳細な説明】
【技術分野】
【０００１】
本出願は、２０１５年９月２８日に中国特許庁に出願された「無線通信システムにおいて制御情報を送信するための方法、基地局、及びユーザ機器」と題する中国特許出願第２０１５１０６２８６１２．Ｘ号に基づく優先権を主張し、当該特許出願は、その全体の参照により本明細書に組み込まれる。
【０００２】
本発明は、通信分野に関し、より具体的には、無線通信システムにおいて制御情報を送信するための方法、基地局、及びユーザ機器（ＵＥ）に関する。
【背景技術】
【０００３】
既存の移動通信システム、例えば、ユニバーサル移動通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ：ＵＭＴＳ）又はロングタームエボリューション（Ｌｏｎｇ  Ｔｅｒｍ  Ｅｖｏｌｕｔｉｏｎ：ＬＴＥ）などの通信システムでは、全方向性アンテナを用いて制御情報が送信される。ダウンリンク制御情報の場合、基地局が、全方向性アンテナを用いてダウンリンク制御情報を送信し、基地局が受け持つ全てのユーザ機器（ＵＥ）が、ダウンリンク制御情報を問題なく受信することが可能である。アップリンク制御情報の場合、ＵＥがアップリンク制御情報を送信し、基地局は、全方向性アンテナを用いてアップリンク制御情報を問題なく受信することが可能である。したがって、既存のＬＴＥ通信システムでは、基地局及びＵＥは、全方向性アンテナを用いて、制御情報を送信及び受信し、基地局とＵＥとの間の通信は、ビーム切り替えに関係しない。
【０００４】
高周波システムでは、信号周波数が高く、線路損失が比較的大きい。大規模なアレイアンテナが、高周波信号の短波長特性を用いて実装される場合がある。したがって、ビームフォーミング技術によってもたらされる大きな指向性アンテナの利得を用いて、高周波システムの高い伝搬損失が補償され得る。このように、大きなアレイアンテナを用いて形成される指向性ビームが、基地局とＵＥとの間の通信にも用いられる必要がある。１本の指向性ビームで送信される信号は、特定の方向のごく一部の範囲しかカバーすることができない。通信品質を保証するには、ビーム切り替えが、基地局とそれぞれ異なるＵＥとの間の通信に必要とされる。したがって、高周波システムに複数のビームが存在する場合には、複数のＵＥの制御情報送信をサポートする解決手段が必要になる。
【発明の概要】
【０００５】
本発明の実施形態が、無線通信システムにおいて制御情報を送信するための方法、基地局、及びＵＥを提供し、高周波システムにおいて基地局と複数のＵＥとの間で制御情報送信を実施する。
【０００６】
第１の態様によれば、無線通信システムにおいて制御情報を送信するための方法が提供され、本方法は、制御チャネルによって用いられる時間ドメインリソースを基地局が決定する段階であって、制御チャネルは、複数のＵＥの制御情報を送信するように構成されており、時間ドメインリソースは、複数のビームのポーリング時間を含む、段階と、複数のビームのポーリング時間内に、複数のＵＥの制御情報を基地局が受信又は送信する段階であって、複数のＵＥのそれぞれの制御情報が、それぞれのＵＥに対応するビームを通じて送信される、段階とを含む。
【０００７】
第１の態様に関連して、第１の態様の第１の実装態様では、複数のビームは利用可能に構成された複数のビームであり、複数のビームのポーリング時間内に複数のＵＥの制御情報を基地局が受信又は送信する段階は、第１のビームのポーリング時間内に第１のビームに対応する少なくとも１個のＵＥによって送信されたアップリンク制御情報を、第１のビームのポーリング時間内に基地局が受信する段階、又は、第１のビームのポーリング時間内に第１のビームに対応する少なくとも１個のＵＥへダウンリンク制御情報を基地局が送信する段階を含み、第１のビームは、第１のビームセットにおけるビームであり、第１のビームセットは、利用可能に構成された複数のビームにおける、複数のＵＥに対応する複数のビームを含む。
【０００８】
第１の態様に関連して、第１の態様の第２の実装態様では、複数のビームは、利用可能に構成された複数のビームにおける、複数のＵＥに対応する複数のビームであり、複数のビームのポーリング時間内に複数のＵＥの制御情報を基地局が受信又は送信する段階の前に、本方法はさらに、ブロードキャストメッセージを複数のＵＥへ基地局が送信する段階を含み、ブロードキャストメッセージは、複数のＵＥに対応する複数のビームの本数を通知するのに用いられ、複数のＵＥに対応する複数のビームの本数は、複数のＵＥに対応する複数のビームのポーリング時間を決定するために複数のＵＥによって用いられ、複数のビームのポーリング時間内に複数のＵＥの制御情報を基地局が受信又は送信する段階は、複数のＵＥに対応する複数のビームのポーリング時間内に第２のビームに対応する少なくとも１個のＵＥによって送信されたアップリンク制御情報を、第２のビームのポーリング時間内に基地局が受信する段階、又は、第２のビームのポーリング時間内に第２のビームに対応する少なくとも１個のＵＥへダウンリンク制御情報を基地局が送信する段階を含み、第２のビームは、複数のＵＥに対応する複数のビームにおけるビームである。
【０００９】
第１の態様に関連して、第１の態様の第３の実装態様では、複数のビームは、利用可能に構成された複数のビームにおける、複数のＵＥに対応する複数のビームであり、複数のビームのポーリング時間内に複数のＵＥの制御情報を基地局が受信又は送信する段階の前に、本方法はさらに、複数のＵＥのそれぞれへ指示情報を基地局が送信する段階を含み、指示情報は、複数のＵＥに対応する複数のビームにおける、複数のＵＥのそれぞれに対応するビームのポーリングシーケンスを示すのに用いられ、複数のビームのポーリング時間内に複数のＵＥの制御情報を基地局が受信又は送信する段階は、第３のビームのポーリング時間内に第３のビームに対応する少なくとも１個のＵＥによって送信されたアップリンク制御情報を、第３のビームのポーリング時間内に基地局が受信する段階、又は、第３のビームのポーリング時間内に第３のビームに対応する少なくとも１個のＵＥへダウンリンク制御情報を基地局が送信する段階を含み、第３のビームは、複数のＵＥに対応する複数のビームにおけるビームであり、第３のビームのポーリング時間は、第３のビームのポーリングシーケンスに従って、第３のビームに対応する少なくとも１個のＵＥによって決定される。
【００１０】
第２の態様によれば、無線通信システムにおいて制御情報を送信するための方法が提供され、本方法は、制御チャネルによって用いられる時間ドメインリソースをＵＥが決定する段階であって、制御チャネルは、複数のＵＥの制御情報を送信するように構成され、このＵＥは複数のＵＥのうちの１つであり、時間ドメインリソースは、複数のビームのポーリング時間を含む、段階と、複数のビームのポーリング時間内にＵＥの制御情報をＵＥが受信又は送信する段階とを含む。
【００１１】
第２の態様に関連して、第２の態様の第１の実装態様では、複数のビームは、利用可能に構成された複数のビームであり、複数のビームのポーリング時間内にＵＥの制御情報をＵＥが受信又は送信する段階は、ＵＥに対応するビームのビーム識別子ＩＤに従って、利用可能に構成された複数のビームにおける、ＵＥに対応するビームのポーリング時間をＵＥが決定する段階と、ＵＥに対応するビームのポーリング時間内にＵＥの制御情報をＵＥが受信又は送信する段階とを含む。
【００１２】
第２の態様に関連して、第２の態様の第２の実装態様では、複数のビームは、利用可能に構成された複数のビームにおける、複数のＵＥに対応する複数のビームであり、複数のビームのポーリング時間内にＵＥの制御情報をＵＥが受信又は送信する前に、本方法はさらに、基地局によって送信されたブロードキャストメッセージをＵＥが受信する段階を含み、ブロードキャストメッセージは、複数のＵＥに対応する複数のビームの本数を通知するのに用いられ、複数のビームのポーリング時間内にＵＥの制御情報をＵＥが受信又は送信する段階は、複数のＵＥに対応する複数のビームの本数に従って、複数のＵＥに対応する複数のビームのポーリング時間をＵＥが決定する段階と、複数のＵＥに対応する複数のビームのポーリング時間内にＵＥの制御情報をＵＥが受信又は送信する段階とを含む。
【００１３】
第２の態様に関連して、第２の態様の第３の実装態様では、複数のビームは、利用可能に構成された複数のビームにおける、複数のＵＥに対応する複数のビームであり、複数のビームのポーリング時間内にＵＥの制御情報をＵＥが受信又は送信する段階の前に、本方法はさらに、基地局によって送信された指示情報をＵＥが受信する段階を含み、指示情報は、複数のＵＥに対応する複数のビームにおける、ＵＥに対応するビームのポーリングシーケンスを示すのに用いられ、複数のビームのポーリング時間内にＵＥの制御情報をＵＥが受信又は送信する段階は、複数のＵＥに対応する複数のビームにおける、ＵＥに対応するビームのポーリングシーケンスに従って、複数のＵＥに対応する複数のビームにおける、ＵＥに対応するビームのポーリング時間をＵＥが決定する段階と、ＵＥに対応するビームのポーリング時間内にＵＥの制御情報をＵＥが受信又は送信する段階とを含む。
【００１４】
第３の態様によれば、基地局が提供され、基地局は、制御チャネルによって用いられる時間ドメインリソースを決定するように構成された決定モジュールであって、制御チャネルは、複数のＵＥの制御情報を送信するように構成されており、時間ドメインリソースは、複数のビームのポーリング時間を含む、決定モジュールと、決定モジュールによって決定された時間ドメインリソースに含まれる複数のビームのポーリング時間内に、複数のＵＥの制御情報を受信又は送信するように構成された送受信モジュールとを含み、複数のＵＥのそれぞれの制御情報は、ＵＥに対応するビームを通じて送信される。
【００１５】
第３の態様に関連して、第３の態様の第１の実装態様では、複数のビームは、利用可能に構成された複数のビームであり、送受信モジュールは具体的には、第１のビームのポーリング時間内に第１のビームに対応する少なくとも１個のＵＥによって送信されたアップリンク制御情報を、第１のビームのポーリング時間内に受信するか、又は、第１のビームのポーリング時間内に第１のビームに対応する少なくとも１個のＵＥへダウンリンク制御情報を送信するように構成され、第１のビームは、第１のビームセットにおけるビームであり、第１のビームセットは、利用可能に構成された複数のビームにおける、複数のＵＥに対応する複数のビームを含む。
【００１６】
第３の態様に関連して、第３の態様の第２の実装態様では、複数のビームは、利用可能に構成された複数のビームにおける、複数のＵＥの対応する複数のビームであり、基地局はさらに、ブロードキャストメッセージを複数のＵＥへ送信するように構成された第１の送信モジュールを含み、ブロードキャストメッセージは、複数のＵＥに対応する複数のビームの本数を通知するのに用いられ、複数のＵＥに対応する複数のビームの本数は、複数のＵＥに対応する複数のビームのポーリング時間を決定するために複数のＵＥによって用いられ、送受信モジュールは具体的には、複数のＵＥに対応する複数のビームのポーリング時間内に第２のビームに対応する少なくとも１個のＵＥによって送信されたアップリンク制御情報を、第２のビームのポーリング時間内に受信するか、又は、第２のビームのポーリング時間内に第２のビームに対応する少なくとも１個のＵＥへダウンリンク制御情報を送信するように構成されており、第２のビームは、複数のＵＥに対応する複数のビームにおけるビームである。
【００１７】
第３の態様に関連して、第３の態様の第３の実装態様では、複数のビームは、利用可能に構成された複数のビームにおける、複数のＵＥに対応する複数のビームであり、基地局はさらに、複数のＵＥのそれぞれへ指示情報を送信するように構成された第２の送信モジュールを含み、指示情報は、複数のＵＥに対応する複数のビームにおける、複数のＵＥのそれぞれに対応するビームのポーリングシーケンスを示すのに用いられ、送受信モジュールは具体的には、第３のビームのポーリング時間内に第３のビームに対応する少なくとも１個のＵＥによって送信されたアップリンク制御情報を、第３のビームのポーリング時間内に受信するか、又は、第３のビームのポーリング時間内に第３のビームに対応する少なくとも１個のＵＥへダウンリンク制御情報を送信するように構成されており、第３のビームは、複数のＵＥに対応する複数のビームにおけるビームであり、第３のビームのポーリング時間は、第３のビームのポーリングシーケンスに従って、第３のビームに対応する少なくとも１個のＵＥによって決定される。
【００１８】
第４の態様によれば、ユーザ機器ＵＥが提供され、ユーザ機器ＵＥは、制御チャネルによって用いられる時間ドメインリソースを決定するように構成された決定モジュールであって、制御チャネルは、複数のＵＥの制御情報を送信するように構成され、このＵＥは複数のＵＥのうちの１つであり、時間ドメインリソースは、複数のビームのポーリング時間を含む、決定モジュールと、決定モジュールによって決定された時間ドメインリソースに含まれる複数のビームのポーリング時間内に、ＵＥの制御情報を受信又は送信するように構成された送受信モジュールとを含む。
【００１９】
第４の態様に関連して、第４の態様の第１の実装態様では、複数のビームは利用可能に構成された複数のビームであり、決定モジュールはさらに、ＵＥに対応するビームのビーム識別子ＩＤに従って、利用可能に構成された複数のビームにおける、ＵＥに対応するビームのポーリング時間を決定するように構成され、送受信モジュールは具体的には、決定モジュールによって決定される、ＵＥに対応するビームのポーリング時間内に、ＵＥの制御情報を受信又は送信するように構成される。
【００２０】
第４の態様に関連して、第４の態様の第２の実装態様では、複数のビームは利用可能に構成された複数のビームにおける、複数のＵＥに対応する複数のビームであり、ＵＥはさらに、基地局によって送信されたブロードキャストメッセージを受信するように構成された第１の受信モジュールを含み、ブロードキャストメッセージは、複数のＵＥに対応する複数のビームの本数を通知するのに用いられ、決定モジュールはさらに、複数のＵＥに対応する複数のビームの本数に従って、複数のＵＥに対応する複数のビームのポーリング時間を決定するように構成され、送受信モジュールは具体的には、決定モジュールによって決定される、複数のＵＥに対応する複数のビームのポーリング時間内に、ＵＥの制御情報を受信又は送信するように構成される。
【００２１】
第４の態様に関連して、第４の態様の第３の実装態様では、複数のビームは、利用可能に構成された複数のビームにおける、複数のＵＥに対応する複数のビームであり、ＵＥはさらに、基地局によって送信された指示情報を受信するように構成された第２の受信モジュールを含み、指示情報は、複数のＵＥに対応する複数のビームにおける、ＵＥに対応するビームのポーリングシーケンスを示すのに用いられ、決定モジュールはさらに、第２の受信モジュールによって受信された指示情報によって示される、複数のＵＥに対応する複数のビームにおける、ＵＥに対応するビームのポーリングシーケンスに従って、複数のＵＥに対応する複数のビームにおける、ＵＥに対応するビームのポーリング時間を決定するように構成され、送受信モジュールは具体的には、決定モジュールによって決定される、ＵＥに対応するビームのポーリング時間内に、ＵＥの制御情報を受信又は送信するように構成される。
【００２２】
前述の技術的解決手段に基づいて、本発明の実施形態の無線通信システムにおいて制御情報を送信するための方法、基地局、及びＵＥでは、基地局が最初に、制御チャネルによって用いられる時間ドメインリソースを決定し、時間ドメインリソースに含まれる複数のビームのポーリング時間内に複数のＵＥの制御情報を受信又は送信する。これにより、基地局と複数のＵＥとの間で、制御情報送信が実施される。
【図面の簡単な説明】
【００２３】
本発明の実施形態の技術的解決手段をより明確に説明するために、以下では、実施形態の説明に必要となる添付図面を簡潔に説明する。以下の説明における添付図面は、単に本発明の一部の実施形態を示しているだけであり、当業者であれば、創造的努力をすることなく、これらの添付図面から他の図面をさらに導き出し得ることは明らかである。
【００２４】
【図１】本発明の一実施形態による５Ｇ高周波システムのフレーム構造の概略図である。
【００２５】
【図２】本発明の一実施形態による、異なるセルの制御チャネルによって用いられる時間ドメインリソースの概略図である。
【００２６】
【図３】本発明の一実施形態による、無線通信システムにおいて制御情報を送信するための方法の概略フローチャートである。
【００２７】
【図４】本発明の一実施形態による、無線通信システムにおいて制御情報を送信するための方法の概略図である。
【００２８】
【図５】本発明の別の実施形態による、無線通信システムにおいて制御情報を送信するための方法の概略図である。
【００２９】
【図６】本発明のさらに別の実施形態による、無線通信システムにおいて制御情報を送信するための方法の概略図である。
【００３０】
【図７】本発明の別の実施形態による、無線通信システムにおいて制御情報を送信するための方法の概略フローチャートである。
【００３１】
【図８】本発明のさらに別の実施形態による、無線通信システムにおいて制御情報を送信するための方法の概略フローチャートである。
【００３２】
【図９】本発明の一実施形態による基地局の概略ブロック図である。
【００３３】
【図１０】本発明の一実施形態によるＵＥの概略ブロック図である。
【００３４】
【図１１】本発明の別の実施形態による基地局の概略ブロック図である。
【００３５】
【図１２】本発明の別の実施形態によるＵＥの概略ブロック図である。
【発明を実施するための形態】
【００３６】
以下では、本発明の実施形態の添付図面を参照して、本発明の実施形態の技術的解決手段を明確に説明する。説明される実施形態は、本発明の実施形態の全てではなく、一部であることは明らかである。本発明の実施形態に基づいて、当業者が創造的努力をすることなく取得する他の全ての実施形態は、本発明の保護範囲に含まれるものとする。
【００３７】
本発明の技術的解決手段は、グローバル移動通信システム（ＧＳＭ（登録商標）：Ｇｌｏｂａｌ  Ｓｙｓｔｅｍ  ｆｏｒ  Ｍｏｂｉｌｅ  Ｃｏｍｍｕｎｉｃａｔｉｏｎｓ）、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ（登録商標）：Ｗｉｄｅｂａｎｄ  Ｃｏｄｅ  Ｄｉｖｉｓｉｏｎ  Ｍｕｌｔｉｐｌｅ  Ａｃｃｅｓｓ）、汎用パケット無線サービス（ＧＰＲＳ：Ｇｅｎｅｒａｌ  Ｐａｃｋｅｔ  Ｒａｄｉｏ  Ｓｅｒｖｉｃｅ）、及びロングタームエボリューション（ＬＴＥ：Ｌｏｎｇ  Ｔｅｒｍ  Ｅｖｏｌｕｔｉｏｎ）などの様々な通信システムに適用されてよい。
【００３８】
ユーザ機器（ＵＥ：Ｕｓｅｒ  Ｅｑｕｉｐｍｅｎｔ）は、移動端末（Ｍｏｂｉｌｅ  Ｔｅｒｍｉｎａｌ）、移動ユーザ機器などとも呼ばれ、無線アクセスネットワーク（例えば、ＲＡＮ：Ｒａｄｉｏ  Ａｃｃｅｓｓ  Ｎｅｔｗｏｒｋ）を用いて、１つ又は複数のコアネットワークと通信することができる。ＵＥは、携帯電話（「セルラ」電話とも呼ばれる）などの移動端末、及び移動端末を備えたコンピュータであってよい。例えば、ＵＥは、携帯型、ポケットサイズ型、ハンドヘルド型、コンピュータ内蔵型、又は車載型の移動装置であってよく、無線アクセスネットワークで音声及び／又はデータを交換する。
【００３９】
基地局は、ＧＳＭ若しくはＣＤＭＡの基地局（ＢＴＳ：Ｂａｓｅ  Ｔｒａｎｓｃｅｉｖｅｒ  Ｓｔａｔｉｏｎ）であってよく、又はＷＣＤＭＡ（登録商標）の基地局（ＮｏｄｅＢ）であってもよく、又はＬＴＥの進化型ＮｏｄｅＢ（ｅＮＢ又はｅ−ＮｏｄｅＢ：ｅｖｏｌｖｅｄ  ＮｏｄｅＢ）であってもよいが、このことは、本発明において限定されるものではない。しかしながら、説明を容易にするために、以下の実施形態は、一例としてＮｏｄｅＢを用いて説明される。
【００４０】
本発明の一実施形態が、５Ｇ指向型高周波システムにおいて制御情報を送信するための方法を提供する。本発明の本実施形態を説明する前に、５Ｇ高周波システムのフレーム構造を最初に説明する。
【００４１】
図１は、５Ｇ高周波システムのフレーム構造の概略図である。既存のＬＴＥシステムのフレーム構造と互換性を有するために、５Ｇ高周波システムは、ＬＴＥシステムのフレーム長設計を用いる。フレーム（ｆｒａｍｅ）は、ここでも１０ミリ秒（ｍｓ）の遅延時間を用いる。フレームは、１０個のサブフレーム（ｓｕｂｆｒａｍｅ）に分割され、各サブフレームは、１ｍｓの遅延時間を有する。サブフレームはさらに、１０個のタイムスロット（ｓｌｏｔ）に分割されてよい。各タイムスロットは、異なる動作周波数に起因して、異なる数の直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ）シンボル（ｓｙｍｂｏｌ）を含んでよい。各タイムスロットでは、任意選択で、全てのシンボルがアップリンクデータ送信又はダウンリンクデータ送信に用いられてよい。アップリンクとダウンリンクの異なるタイムスロット比に従って、１０個のタイムスロットからなるサブフレームにある異なる数のタイムスロットが、アップリンク又はダウンリンクデータ送信に用いられるように個別に選択されてよい。本発明の本実施形態では、アップリンクタイムスロット対ダウンリンクタイムスロットの比５：５が一例として用いられる。すなわち、最初の５つのタイムスロットがダウンリンクデータ送信に用いられ、最後の５つのタイムスロットがアップリンクデータ送信に用いられる。また、アップリンクタイムスロットとダウンリンクタイムスロットを切り替えるために、ある期間が確保される。前述のアップリンクタイムスロット対ダウンリンクタイムスロットの比５：５は、本発明の本実施形態の一例として用いられているにすぎず、本発明の本実施形態にいかなる限定も与えるものではないことを理解されたい。本発明の本実施形態はさらに、アップリンクタイムスロット対ダウンリンクタイムスロットの比が、２：３、３：２、２：８、３：７などであるシナリオに適用されてよい。
【００４２】
本発明の本実施形態はさらに、以下の前提条件に基づいている。すなわち、基地局とＵＥとの間に接続が確立されている。高周波システムでは、基地局及びＵＥは両方とも、複数のビームで通信することができる。したがって、ビームのビーム識別子（Ｉｄｅｎｔｉｆｉｅｒ：ＩＤ）が、ビームを示すのに用いられてよい。本出願の実施形態は、基地局とＵＥとの間で同期及びビームトレーニングが完了しており、最適なビームペアリングが得られるという前提条件に基づいている。従来技術のビームトレーニングプロセスが用いられ、米国電気電子技術者協会（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ：ＩＥＥＥ）８０２．１１ａｄ規格の９．３５項に記述されているビームトレーニングプロセスが参照されてよい。ビームトレーニングを通じて、基地局及びＵＥは両方とも、基地局とＵＥとの間の通信に用いられるビームのビーム識別子（Ｉｄｅｎｔｉｆｉｅｒ：ＩＤ）を認識することができる。基地局及びＵＥは、ペアリングに成功したビームを通じて互いに通信することができ、基地局及びＵＥは、プロトコルに指定された時間ドメインリソースに関する制御情報を送信及び受信する。例えば、図２に示されるように、タイムスロット０〜４がダウンリンクタイムスロットであり、タイムスロット５〜９がアップリンクタイムスロットである。
【数１】
0006513883.tif 000002
は、ダウンリンク制御情報の送信によって占有される時間ドメインリソースを示し、
【数２】
0006513883.tif 000003
は、アップリンク制御情報の送信によって占有される時間ドメインリソースを示し、
【数３】
0006513883.tif 000004
は、アップリンクタイムスロットとダウンリンクタイムスロットの切り替え時間を示す。あるセルでは、制御チャネルによって占有される時間ドメインリソースが、タイムスロット内のいくつかのシンボルであってよい。任意選択で、制御情報送信が、周波数ドメインの周波数帯全体を占有してよい。このように、基地局及びＵＥは、時間ドメインリソースで制御情報送信を完了することができる。セル間の干渉を回避するために、異なるセルの制御情報が区別される。任意選択で、異なるセルの制御チャネルが、異なるタイムスロットにセットされてよい。図２に示されるように、セル０のダウンリンク制御チャネルが、タイムスロット０の最初の４つのシンボルにセットされてよく、アップリンク制御チャネルが、タイムスロット５の最初の４つのシンボルにセットされてよい。セル１のダウンリンク制御チャネルが、タイムスロット１の最初の４つのシンボルにセットされ、アップリンク制御チャネルが、タイムスロット６の最初の４つのシンボルにセットされる。本発明の本実施形態では、異なるセルの制御チャネルは、異なるタイムスロットにセットされる。このように、基地局及びＵＥは、シグナリングインタラクションを行って、制御チャネルによって用いられる時間ドメインリソース情報を取得してから制御情報を送信する必要がなく、制御チャネルによって用いられる時間ドメインリソースをセル番号に従って決定し、時間ドメインリソースで制御情報を受信及び送信することができる。したがって、複雑なシグナリングインタラクションによって生じる余分なシステムオーバーヘッドが回避される。
【００４３】
図３は、本発明の一実施形態による、無線通信システムにおいて制御情報を送信するための方法１０００の概略フローチャートである。方法１０００は、基地局によって実行されてよく、以下の段階を含む。
【００４４】
Ｓ１１００：基地局は、制御チャネルによって用いられる時間ドメインリソースを決定する。制御チャネルは、複数のＵＥの制御情報を送信するように構成されており、時間ドメインリソースは、複数のビームのポーリング時間を含む。
【００４５】
Ｓ１２００：基地局は、複数のビームのポーリング時間内に複数のＵＥの制御情報を受信又は送信する。各ＵＥの制御情報は、そのＵＥに対応するビームを通じて送信される。
【００４６】
具体的には、基地局は、制御チャネルによって用いられる時間ドメインリソースを決定する。任意選択で、基地局は、タイムスロットのどのシンボルが制御チャネルによって用いられるかを、プロトコルに従って決定し、用いられる時間ドメインリソースを含むタイムスロットを、セル番号に従って決定して、フレーム構造内の制御チャネルによって用いられる時間ドメインリソースの位置を決定してよい。例えば、制御チャネルがタイムスロットの最初の４つのシンボルを用いることをプロトコルが規定し、セル番号が０である場合、任意選択で、図２に示されるように、基地局は、制御チャネルによって用いられる時間ドメインリソースがタイムスロット０の最初の４つのシンボルか、又はタイムスロット５の最初の４つのシンボルであると決定することができる。制御チャネルは、複数のＵＥの制御情報を送信するように構成される。すなわち、時間ドメインリソースは、複数のＵＥの制御情報の送信によって占有される時間ドメインリソースのセットである。任意選択で、時間ドメインリソースは、図２に示されるタイムスロット０の最初の４つのシンボルか、又はタイムスロット５の最初の４つのシンボルであってよい。本発明の本実施形態は、これらに限定されるものではない。複数のＵＥのそれぞれは、対応するビームを有し、基地局は、ＵＥに対応するビームを通じて、制御情報をＵＥへ送信する。時間ドメインリソースを決定した後に、基地局は、時間ドメインリソースで複数のビームを連続的にポーリングしてよい。すなわち、時間ドメインリソースは、複数のビームのポーリング時間を含む。時間ドメインリソースでは、各ビームはそれ自身のポーリング時間を有し、時間ドメインリソースは、複数のビームのそれぞれのポーリング時間を含む。基地局が複数のビームをポーリングすることで、基地局が、現在ポーリングされているビームに対応する少なくとも１個のＵＥの制御情報を、現在ポーリングされているビームを通じて、複数のビームのそれぞれのポーリング時間内に受信又は送信することが示される。基地局は、複数のビームのポーリング時間内に複数のＵＥの制御情報を受信又は送信する。具体的には、第１のビームが複数のビームにおけるビームである場合、基地局は、第１のビームに対応する少なくとも１個のＵＥの制御情報を、第１のビームのポーリング時間内に受信又は送信する。このように、基地局は、複数のビームをポーリングすることで、複数のビームに対応するＵＥの制御情報を受信又は送信することができる。
【００４７】
したがって、本発明の本実施形態の、無線通信システムにおいて制御情報を送信するための方法によれば、基地局は最初に、制御チャネルによって用いられる時間ドメインリソースを決定し、時間ドメインリソースに含まれる複数のビームのポーリング時間内に複数のＵＥの制御情報を受信又は送信する。これにより、基地局と複数のＵＥとの間で、制御情報送信が実施される。
【００４８】
任意選択で、本発明の本実施形態では、複数のビームは、利用可能に構成された複数のビームであってよい。この場合、基地局が、複数のＵＥの制御情報を複数のビームのポーリング時間内に受信又は送信することは、第１のビームのポーリング時間内に第１のビームに対応する少なくとも１個のＵＥによって送信されたアップリンク制御情報を、第１のビームのポーリング時間内に基地局が受信する段階、又は第１のビームのポーリング時間内に第１のビームに対応する少なくとも１個のＵＥへダウンリンク制御情報を基地局が送信する段階を含み、第１のビームは、第１のビームセットにおけるビームであり、第１のビームセットは、利用可能に構成された複数のビームにおける、複数のＵＥに対応する複数のビームを含む。
【００４９】
具体的には、複数のビームが利用可能に構成された複数のビームである場合、基地局は、利用可能に構成された複数のビームのそれぞれを連続的にポーリングする。任意選択で、基地局は、ビームのビームＩＤに従って、利用可能に構成された複数のビームのそれぞれをポーリングしてよい。例えば、基地局は、ビームＩＤの昇順に従って、利用可能に構成された複数のビームのそれぞれを連続的にポーリングし、第１のビームのポーリング時間内に第１のビームに対応する少なくとも１個のＵＥによって送信されたアップリンク制御情報を、第１のビームのポーリング時間内に受信することができる。あるいは、基地局は、第１のビームのポーリング時間内に、第１のビームに対応する少なくとも１個のＵＥへダウンリンク制御情報を送信してよい。第１のビームは、第１のビームセットにおけるビームであり、第１のビームセットは、利用可能に構成された複数のビームにおける、複数のＵＥに対応する複数のビームを含む。複数のＵＥに対応する複数のビームは、複数のＵＥのそれぞれに対応する複数のビームのセットである。第１のビームセットは、基地局と複数のＵＥとの間でペアリングに成功した複数のビームのセットと理解されてよく、利用可能に構成された複数のビームにおける、複数のＵＥに割り当てられた複数のビームのセットと理解されてもよい。第１のビームセットの各ビームは、少なくとも１個のＵＥに対応する。制御情報は、第１のビームセットのビームで送信される。したがって、基地局は、ビームに対応する少なくとも１個のＵＥの制御情報を、第１のビームセットのビームで受信又は送信することができる。任意選択で、ダウンリンク制御情報は、少なくとも１個のＵＥのダウンリンク制御情報のセットであってよい。異なるＵＥのダウンリンク制御情報は、異なる符号化シーケンスを用いて区別されてよい。異なるＵＥは、ダウンリンク制御情報を受信した後に、異なる復号化シーケンスを用いてダウンリンク制御情報を復号し、それぞれのダウンリンク制御情報を取得することができる。任意選択で、異なるＵＥのダウンリンク制御情報は、異なる周波数によって区別されてよい。異なるＵＥのダウンリンク制御情報は、異なる周波数帯で送信されてよく、異なるＵＥは、異なる周波数帯でそれぞれのダウンリンク制御情報を受信することができる。
【００５０】
以下では、図４を参照して、前述の実施形態の無線通信システムにおいて制御情報を送信するための方法を詳細に説明する。図４では、利用可能に構成された複数のビームは、８本のビーム（ビームＢ０〜Ｂ７）を含み、複数のＵＥは、３個のＵＥ（ＵＥ０〜ＵＥ２）を含み、複数のＵＥに対応する複数のビームは、ビームＢ１、ビームＢ３、及びビームＢ７である。
【数４】
0006513883.tif 000005
は、ダウンリンク制御情報の送信によって占有される時間ドメインリソースを示し得る。
【数５】
0006513883.tif 000006
は、アップリンク制御情報の送信によって占有される時間ドメインリソースを示し得る。
【数６】
0006513883.tif 000007
は、ビーム間の切り替え時間であり、これらのビームは、同じポーリング時間を有する。
【００５１】
図４において、制御チャネルによって用いられる時間ドメインリソースに対応する時点が到達する。例えば、図２に示されるセル０の場合、アップリンク制御情報によって用いられる時間ドメインリソースに対応する時点が、タイムスロット５の最初の４つのシンボルに対応する時点であってよく、ダウンリンク制御情報によって用いられる時間ドメインリソースに対応する時点が、タイムスロット０の最初の４つのシンボルに対応する時点であってよい。制御チャネルによって用いられる時間ドメインリソースに対応する時点が到達した場合、基地局は、８本のビームを連続的にポーリングする。任意選択で、基地局は、８本のビームをビームＩＤの昇順で、すなわち、Ｂ０からＢ７の順でポーリングしてよい。８本のビームの中で、ビームＢ１、Ｂ３、及びＢ７が複数のＵＥに対応するビームであり、すなわち、ビームＢ１、ビームＢ３、及びビームＢ７が、複数のＵＥに割り当てられたビームである。他のビームは、ＵＥに割り当てられていないビームである。ビームＢ１、ビームＢ３、及びビームＢ７に対応するＵＥは、ＵＥ０、ＵＥ１、及びＵＥ２である。基地局が、ビームＩＤの昇順で８本のビームを連続的にポーリングする場合、基地局は最初に、ビームＢ０をポーリングする。ビームＢ０は複数のＵＥに割り当てられていないビームなので、ビームＢ０のポーリング時間内にビームＢ０で送信される制御情報は何もない。同様に、このことは、複数のＵＥに割り当てられていない他のビームにも適用される。これらのビームは同じポーリング時間を有し、基地局は、ビームＩＤの昇順に従ってポーリングを行い、基地局及びＵＥは、それぞれの対応するビームのＩＤを認識する。したがって、基地局がビームＢ１をポーリングした場合、ビームＢ１に対応するＵＥ０は、ＵＥ０に対応するビームＢ１のＩＤに従って、ビームＢ１のポーリング時間が到達したと判定することができる。このように、制御情報は、ビームＢ１のポーリング時間内に基地局とＵＥ０との間で送信されてよい。任意選択で、時間ドメインリソースがアップリンク制御情報によって用いられる時間ドメインリソースである場合、基地局は、ビームＢ１のポーリング時間内にＵＥ０によって送信されたアップリンク制御情報を、ビームＢ１のポーリング時間内に受信することができる。時間ドメインリソースがダウンリンク制御情報によって用いられる時間ドメインリソースである場合、基地局は、ビームＢ１のポーリング時間内にダウンリンク制御情報をＵＥ０へ送信することができる。同様に、ビームＢ３のポーリング時間が到達した場合、基地局とビームＢ３に対応するＵＥ１との間で制御情報が送信されてよい。ビームＢ７のポーリング時間が到達した場合、基地局とビームＢ７に対応するＵＥ２との間で制御情報が送信されてよい。詳細なプロセスは、本明細書で説明されない。ＵＥは、ＵＥに対応するビームのポーリング時間をビームＩＤに従って決定することができ、したがって、ＵＥは、ＵＥに対応するビームのポーリング時間内に制御情報を受信又は送信することに留意されたい。
【００５２】
任意選択で、図４に示される実施形態では、ビームＢ３はＵＥ１に対応してよく、ＵＥ３及びＵＥ４に対応してもよい。すなわち、ビームＢ３は、ＵＥ１、ＵＥ３、及びＵＥ４の制御情報の送信をサポートすることができる。この場合、アップリンク制御情報送信では、基地局は、ビームＢ３のポーリング時間内にＵＥ１、ＵＥ３、及びＵＥ４の制御情報を受信する。異なるＵＥ間の干渉を回避するために、任意選択で、異なるＵＥの制御情報が、異なる符号化シーケンスを用いて区別されてよい。ダウンリンク制御情報送信の場合、基地局は、ビームＢ３のポーリング時間内にダウンリンク制御情報をＵＥ１、ＵＥ３、及びＵＥ４へ送信する。任意選択で、ダウンリンク制御情報は、ＵＥ１、ＵＥ３、及びＵＥ４のダウンリンク制御情報のセットであってよい。異なるＵＥの制御情報は、異なる符号化シーケンスによって区別されてよい。これによって、ＵＥ１、ＵＥ３、及びＵＥ４は、ダウンリンク制御情報を受信した後に、異なる復号化シーケンスを用いてダウンリンク制御情報を復号し、それぞれのダウンリンク制御情報を取得することができる。任意選択で、異なるＵＥの制御情報は、異なる周波数によって区別されてよく、これにより、ＵＥ１、ＵＥ３、及びＵＥ４はそれぞれ、異なる周波数帯でダウンリンク制御情報を受信することができる。
【００５３】
本発明の本実施形態は、利用可能に構成された複数のビームが８本のビーム（ビームＢ０〜Ｂ７）を含み、複数のＵＥが３個のＵＥ（ＵＥ０〜ＵＥ２）を含む一例を用いて説明されていることを理解されたい。これは一例にすぎず、本発明の本実施形態にいかなる限定も与えるものではない。あるいは、本発明の本実施形態の複数のビームは、１０本のビーム、２０本のビームなどを含んでもよく、複数のＵＥは、５個のＵＥ、１０個のＵＥなどを含んでもよい。本発明の本実施形態は、制御チャネルによって用いられる時間ドメインリソースがタイムスロット５の最初の４つのシンボルである一例を用いて説明されているが、本発明の本実施形態は、これに限定されるものではないことも理解されたい。あるいは、本発明の本実施形態の時間ドメインリソースは、タイムスロット６の最初の６つのシンボル、タイムスロット９の最初の４つのシンボルなどであってもよい。
【００５４】
基地局によってポーリングされる複数のビームは、利用可能に構成された複数のビームであってよい。すなわち、複数のビームは、対応するＵＥを持たないビームを含んでよい。そのビームは、複数のＵＥに割り当てられていないビームである。基地局が、複数のＵＥに割り当てられていないビームをポーリングした場合、そのビームで送信される制御情報は何もない。これが意味することは、基地局によってポーリングされる利用可能に構成された複数のビームには、いくつかの余分なビームが存在するということである。この場合、基地局によってポーリングされる複数のビームは、利用可能に構成された複数のビームにおける、複数のＵＥに対応する複数のビームであってよい。すなわち、複数のビームは、複数のＵＥに割り当てられた複数のビームのセットである。この場合、基地局が、複数のビームのポーリング時間内に複数のＵＥの制御情報を受信又は送信する前に、方法１０００はさらに、ブロードキャストメッセージを複数のＵＥへ基地局が送信する段階を含んでよく、ブロードキャストメッセージは、複数のＵＥに対応する複数のビームの本数を通知するのに用いられ、複数のＵＥに対応する複数のビームの本数は、複数のＵＥに対応する複数のビームのポーリング時間を決定するために複数のＵＥによって用いられる。複数のビームのポーリング時間内に複数のＵＥの制御情報を基地局が受信又は送信することは、複数のＵＥに対応する複数のビームのポーリング時間内に第２のビームに対応する少なくとも１個のＵＥによって送信されたアップリンク制御情報を、第２のビームのポーリング時間内に基地局が受信する段階、又は、第２のビームのポーリング時間内に第２のビームに対応する少なくとも１個のＵＥへダウンリンク制御情報を基地局が送信する段階を含み、第２のビームは、複数のＵＥに対応する複数のビームにおけるビームである。
【００５５】
具体的には、複数のビームが、利用可能に構成された複数のビームにおける、複数のＵＥに対応する複数のビームである場合、すなわち、基地局によってポーリングされる複数のビームが、複数のＵＥに実際に割り当てられた複数のビームである場合、又は、基地局によってポーリングされる複数のビームが全て利用可能に構成された複数のビームというわけではないが、利用可能に構成された複数のビームにおける、複数のＵＥに対応する複数のビームである場合、基地局は、複数のＵＥに割り当てられていない複数のビームをポーリングする必要はない。システムリソースの浪費が回避される。この場合、複数のＵＥに対応し且つ基地局によってポーリングされる複数のビームのビームＩＤは、連続していない場合があり、ＵＥは、ビームＩＤに従って対応する複数のビームのポーリング時間を決定することができない。任意選択で、基地局は、ブロードキャストメッセージを複数のＵＥへ送信することができる。ブロードキャストメッセージは、複数のＵＥに対応する複数のビームの本数を通知するのに用いられ、複数のＵＥに対応する複数のビームの本数は、複数のＵＥに対応する複数のビームのポーリング時間を決定するために、複数のＵＥによって用いられる。この場合、任意選択で、アップリンク制御情報送信の場合、基地局は、複数のＵＥに対応する複数のビームのポーリング時間内に第２のビームに対応する少なくとも１個のＵＥによって送信されたアップリンク制御情報を、第２のビームのポーリング時間内に受信する。すなわち、第２のビームに対応する少なくとも１個のＵＥは、複数のＵＥに対応する複数のビームのそれぞれのポーリング時間内に、アップリンク制御情報を基地局へ繰り返し送信する。第２のビームは、複数のＵＥに対応する複数のビームにおけるビームである。この場合、少なくとも１個のＵＥは、第２のビームのポーリング時間を認識していないが、アップリンク制御情報は、各ビームのポーリング時間内に繰り返し送信され、基地局が第２のビームをポーリングするときに、基地局は、少なくとも１個のＵＥによって送信されたアップリンク制御情報を受信することができる。ダウンリンク制御情報送信の場合、基地局は、第２のビームのポーリング時間内に、第２のビームに対応する少なくとも１個のＵＥへダウンリンク制御情報を送信する。任意選択で、ダウンリンク制御情報は、少なくとも１個のＵＥのそれぞれのダウンリンク制御情報を含んでよい。すなわち、ダウンリンク制御情報は、少なくとも１個のＵＥのダウンリンク制御情報のセットであってよい。少なくとも１個のＵＥにおける異なるＵＥのダウンリンク制御情報は、異なる符号化シーケンスを用いて区別されてよい。したがって、異なるＵＥは、ダウンリンク制御情報を受信した後に、異なる復号化シーケンスを用いてダウンリンク制御情報を復号し、それぞれのダウンリンク制御情報を取得することができる。任意選択で、異なるＵＥのダウンリンク制御情報は、異なる周波数によって区別されてよい。異なるＵＥのダウンリンク制御情報は、異なる周波数帯で送信されてよく、異なるＵＥは、異なる周波数帯でそれぞれのダウンリンク制御情報を受信することができる。ＵＥは、自身の対応するビームのポーリング時間がいつ到達するかを認識していない。任意選択で、ＵＥは、複数のＵＥに対応する複数のビームのそれぞれのポーリング時間において、ダウンリンク制御情報を受信する状態を維持し、これにより、基地局がＵＥに対応するビームをポーリングするときに、基地局は、ＵＥのダウンリンク制御情報を受信することができる。
【００５６】
任意選択で、本発明の本実施形態では、ブロードキャストメッセージは、他の情報を通知するのに用いられてよい。ただし、その情報が、複数のＵＥに対応する複数のビームのポーリング時間を決定するのに用いられる場合に限る。このことは、本発明の本実施形態の保護範囲内に含まれる。例えば、ブロードキャストメッセージは、複数のＵＥに対応する複数のビームのポーリング時間を直接通知するのに用いられてよい。すなわち、基地局は、複数のＵＥに対応する複数のビームのポーリング時間を通知するために、ブロードキャストメッセージを直接用いることができる。任意選択で、基地局は、どのシンボルが複数のＵＥに対応する複数のビームのポーリング時間によって占有されているかを、通知することができる。したがって、複数のＵＥは、複数のＵＥに対応する複数のビームの本数に従って複数のＵＥに対応する複数のビームのポーリング時間を決定する必要はないが、ブロードキャストメッセージに従って複数のＵＥに対応する複数のビームのポーリング時間を直接取得することができる。その場合、制御情報は、複数のＵＥに対応する複数のビームのポーリング時間内に送信される。
【００５７】
以下では、図５を参照して、前述の実施形態の無線通信システムにおいて制御情報を送信するための方法を詳細に説明する。図５では、利用可能に構成された複数のビームは、８本のビーム（ビームＢ０〜Ｂ７）を含み、複数のビームは、利用可能に構成された複数のビームにおける、複数のＵＥに対応する複数のビーム（３本のビーム、Ｂ１、Ｂ３、及びＢ７を含む）であり、複数のＵＥは、３個のＵＥ（ＵＥ０〜ＵＥ２）を含む。
【数７】
0006513883.tif 000008
は、ダウンリンク制御情報の送信によって占有される時間ドメインリソースを示す。
【数８】
0006513883.tif 000009
は、アップリンク制御情報の送信によって占有される時間ドメインリソースを示す。
【数９】
0006513883.tif 000010
は、ビーム間の切り替え時間であり、これらのビームは、同じポーリング時間を有する。
【００５８】
図５において、時間ドメインリソースが制御チャネルによって用いられる時点が到達した場合、例えば、タイムスロット５の最初の４つのシンボルに対応する時点が到達した場合、基地局は、３個のＵＥに対応する３本のビームをポーリングする。ビームＢ１、ビームＢ３、及びビームＢ７に対応するＵＥは、ＵＥ０、ＵＥ１、及びＵＥ２である。基地局は、制御情報をＵＥへ送信する前に、最初にブロードキャストメッセージを複数のＵＥへ送信する。ブロードキャストメッセージは、複数のＵＥに対応し且つ基地局によってポーリングされることになる複数のビームの本数を、複数のＵＥに通知するのに用いられる。複数のＵＥに対応する複数のビームの本数は、複数のＵＥが複数のＵＥに対応する複数のビームのポーリング時間を決定するために用いられる。任意選択で、基地局はさらに、ビームＩＤの昇順で複数のビームを連続的にポーリングすることができる。すなわち、Ｂ１、Ｂ３、Ｂ７の順序でポーリングが行われる。基地局は最初に、ビームＢ１をポーリングする。ビームＢ１はＵＥ０に対応し、ＵＥ０は、対応するビームＢ１のポーリング時間がいつ到達するかを認識していない。これらのビームは、同じポーリング時間を有する。ＵＥ０は、基地局によってポーリングされる複数のビームの本数を取得することができる。したがって、ＵＥ０は、基地局によってポーリングされる複数のビームの本数に従って、複数のＵＥに対応する複数のビームのポーリング時間を決定することができる。次に、ＵＥ０は、複数のＵＥに対応する複数のビームのポーリング時間内にアップリンク制御情報を基地局へ繰り返し送信して、基地局がＵＥ０のアップリンク制御情報を確実に受信できるようにすることができる。すなわち、ＵＥ０は、複数のＵＥに対応する複数のビームにおける第１のビームのポーリング時間に基づいて、自身の対応するビームＢ１でアップリンク制御情報を基地局へ繰り返し送信する。これは、ＵＥ１及びＵＥ２についても同じであり、詳細はここで繰り返されない。基地局では、時間ドメインリソースがアップリンク制御情報によって用いられる時間ドメインリソースである場合、基地局は、ビームＢ１、Ｂ３、及びＢ７をポーリングすることで、ＵＥ０、ＵＥ１、及びＵＥ２によって送信されたアップリンク制御情報を受信する。時間ドメインリソースがダウンリンク制御情報によって用いられる時間ドメインリソースである場合、ＵＥは、自身の対応するビームのポーリング時間がいつ到達するかも認識していない。ＵＥは、複数のＵＥに対応する複数のビームのそれぞれのポーリング時間において、ダウンリンク制御情報を受信する状態を維持する。このように、基地局がＵＥに対応するビームをポーリングする場合、ＵＥは、ＵＥのダウンリンク制御情報を受信することができる。基地局の場合、基地局は、各ビームのポーリング時間内に現在ポーリングされているビームを通じて、現在ポーリングされているビームに対応する少なくとも１個のＵＥへダウンリンク制御情報を送信する。任意選択で、ダウンリンク制御情報は、少なくとも１個のＵＥのそれぞれのダウンリンク制御情報を含んでよい。少なくとも１個のＵＥがダウンリンク制御情報を受信した後に、異なるＵＥが、異なる復号化シーケンスを用いてダウンリンク制御情報を復号し、それぞれのダウンリンク制御情報を取得することができる。任意選択で、少なくとも１個のＵＥのダウンリンク制御情報は、異なる周波数によって区別されてよい。異なるＵＥのダウンリンク制御情報は、異なる周波数帯で送信されてよく、異なるＵＥは、異なる周波数帯でそれぞれのダウンリンク制御情報を受信することができる。
【００５９】
本発明の本実施形態は、複数のＵＥに対応する複数のビームが３本のビーム（ビームＢ１、Ｂ３、及びＢ７）を含み、複数のＵＥが３個のＵＥ（ＵＥ０〜ＵＥ２）を含む一例を用いて説明されていることを理解されたい。これは一例にすぎず、本発明の本実施形態にいかなる限定も与えるものではない。あるいは、本発明の本実施形態の複数のビームは、１０本のビーム、２０本のビームなどを含んでもよく、複数のＵＥは、５個のＵＥ、１０個のＵＥなどを含んでもよい。本発明の本実施形態は、制御チャネルによって用いられる時間ドメインリソースがタイムスロット５の最初の４つのシンボルである一例を用いて説明されているが、本発明の本実施形態は、これに限定されるものではないことも理解されたい。あるいは、本発明の本実施形態の時間ドメインリソースは、タイムスロット６の最初の６つのシンボル、タイムスロット９の最初の４つのシンボルなどであってもよい。
【００６０】
基地局によってポーリングされる複数のビームが、利用可能に構成された複数のビームにおける、複数のＵＥに対応する複数のビームである場合、任意選択で、本発明の本実施形態では、基地局が複数のビームのポーリング時間内に複数のＵＥの制御情報を受信又は送信する前に、方法１０００はさらに、複数のＵＥのそれぞれへ指示情報を基地局が送信する段階を含んでよく、指示情報は、複数のＵＥに対応する複数のビームにおける、複数のＵＥのそれぞれに対応するビームのポーリングシーケンスを示すのに用いられ、複数のビームのポーリング時間内に複数のＵＥの制御情報を基地局が受信又は送信することは、第３のビームのポーリング時間内に第３のビームに対応する少なくとも１個のＵＥによって送信されたアップリンク制御情報を、第３のビームのポーリング時間内に基地局が受信する段階、又は、第３のビームのポーリング時間内に第３のビームに対応する少なくとも１個のＵＥへダウンリンク制御情報を基地局が送信する段階を含み、第３のビームは、複数のＵＥに対応する複数のビームにおけるビームであり、第３のビームのポーリング時間は、第３のビームのポーリングシーケンスに従って、第３のビームに対応する少なくとも１個のＵＥによって決定される。
【００６１】
具体的には、ＵＥが自身の対応するビームのポーリングシーケンスを認識していない場合、ＵＥは、複数のビームのそれぞれのポーリング時間内に制御情報を繰り返し送信又は受信する。任意選択で、本発明の本実施形態では、基地局は、指示情報を複数のＵＥのそれぞれへ送信して、複数のＵＥに割り当てられた複数のビームにおける、複数のＵＥのそれぞれに対応するビームのポーリングシーケンスを示すことができる。これらのビームは同じポーリング時間を有するので、ＵＥは、ポーリングシーケンスに従って、ＵＥに対応するビームのポーリング時間を決定することができ、各ビームのポーリング時間内に制御情報を繰り返し受信又は送信する代わりに、自身の対応するビームのポーリング時間内に制御情報を受信又は送信することができる。任意選択で、アップリンク制御情報送信の場合、基地局は、複数のＵＥに対応する複数のビームのそれぞれのポーリング時間内に、現在ポーリングされているビームに対応する少なくとも１個のＵＥによって送信されたアップリンク制御情報を、現在ポーリングされているビームを通じて受信する。
例えば、基地局は、第３のビームのポーリング時間内に第３のビームに対応する少なくとも１個のＵＥによって送信されたアップリンク制御情報を、第３のビームのポーリング時間内に受信する。第３のビームは、複数のＵＥに割り当てられた複数のビームにおけるビームである。ダウンリンク制御情報送信の場合、基地局は、現在ポーリングされているビームを通じて、複数のＵＥに対応する複数のビームのそれぞれのポーリング時間内に、現在ポーリングされているビームに対応する少なくとも１個のＵＥへダウンリンク制御情報を送信する。例えば、基地局は、第３のビームのポーリング時間内に、第３のビームに対応する少なくとも１個のＵＥへダウンリンク制御情報を送信する。任意選択で、ダウンリンク制御情報は、少なくとも１個のＵＥのそれぞれのダウンリンク制御情報を含んでよい。すなわち、ダウンリンク制御情報は、少なくとも１個のＵＥのダウンリンク制御情報のセットであってよい。異なるＵＥのダウンリンク制御情報は、異なる符号化シーケンスを用いて区別されてよい。少なくとも１個のＵＥは、ダウンリンク制御情報を受信した後に、異なる復号化シーケンスを用いてダウンリンク制御情報を復号し、それぞれのダウンリンク制御情報を取得することができる。任意選択で、少なくとも１個のＵＥのダウンリンク制御情報は、異なる周波数によって区別されてよい。異なるＵＥのダウンリンク制御情報は、異なる周波数帯で送信されてよく、異なるＵＥは、異なる周波数帯でそれぞれのダウンリンク制御情報を受信することができる。
【００６２】
任意選択で、本発明の本実施形態では、指示情報は、他の情報を示すのに用いられてよい。ただし、その情報が、複数のＵＥのそれぞれに対応するビームのポーリング時間を決定するのに用いられる場合に限る。このことは、本発明の本実施形態の保護範囲内に含まれる。例えば、指示情報は、複数のＵＥのそれぞれに対応するビームのポーリング時間を直接示すことができる。任意選択で、基地局は、複数のＵＥのそれぞれに対応するビームのポーリング時間によって、どのシンボルが占有されているかを通知してよい。したがって、各ＵＥは、各ＵＥに対応するビームのポーリングシーケンスに従って、各ＵＥに対応するビームのポーリング時間を決定する必要はないが、指示情報に従って各ＵＥに対応するビームのポーリング時間を直接取得することができる。
【００６３】
以下では、図６を参照して、前述の実施形態の無線通信システムにおいて制御情報を送信するための方法を詳細に説明する。図６では、複数のビームは、利用可能に構成された複数のビームにおける、複数のＵＥに対応する複数のビーム（３本のビーム、Ｂ１、Ｂ３、及びＢ７を含む）であり、複数のＵＥは、３個のＵＥ（ＵＥ０〜ＵＥ２）を含み、ビームＢ１、Ｂ３、及びＢ７に対応するこれらのＵＥは、ＵＥ０、ＵＥ１、及びＵＥ２である。図６では、
【数１０】
0006513883.tif 000011
は、ダウンリンク制御情報の送信によって占有される時間ドメインリソースを示す。
【数１１】
0006513883.tif 000012
は、アップリンク制御情報の送信によって占有される時間ドメインリソースを示す。
【数１２】
0006513883.tif 000013
は、ビーム間の切り替え時間であり、これらのビームは、同じポーリング時間を有する。
【００６４】
図６において、時間ドメインリソースが制御チャネルによって用いられる時点が到達した場合、例えば、タイムスロット５の最初の４つのシンボルに対応する時点が到達した場合、基地局は、３本のビーム（ビーム、Ｂ１、Ｂ３、及びＢ７）をポーリングする。任意選択で、基地局はさらに、ビームＩＤの昇順で複数のビームを連続的にポーリングすることができる。すなわち、ポーリングは、Ｂ１、Ｂ３、及びＢ７の順序に従って連続的に行われる。基地局が制御情報をＵＥへ送信し始める前に、基地局は、複数のＵＥのそれぞれへ指示情報を送信する。指示情報は、複数のＵＥのそれぞれに対応するビームのポーリングシーケンスを示す。このように、ＵＥは、ポーリングシーケンスに従って、自身の対応するビームのポーリング時間を決定することができる。複数のＵＥに対応する複数のビームは、異なるポーリングシーケンスを有してよい。したがって、複数のＵＥに対応する複数のビームのポーリングシーケンスを示す指示情報は、基地局によってＵＥへ個別に送信される。例えば、Ｂ１、Ｂ３、及びＢ７の順序に従って、基地局が３本のビームを連続的にポーリングする場合、ビームＢ１、Ｂ３、及びＢ７に対応するＵＥ０、ＵＥ１、及びＵＥ２へ基地局によって送信される指示情報により示されるポーリングシーケンスは、１、２、及び３であってよい。ＵＥ０、ＵＥ１、及びＵＥ２はそれぞれ、指示情報を受信した後に、指示情報によって示されるポーリングシーケンスに従って、自身の対応するビームのポーリングシーケンスを決定することができる。したがって、基地局によってポーリングされる第１のビームがビームＢ１である場合、基地局は、ビームＢ１のポーリング時間内にＵＥ０によって送信されたアップリンク制御情報を、ビームＢ１を通じて受信することができる、又はダウンリンク制御情報をＵＥ０へ送信することができる。これは、ＵＥ１及びＵＥ２についても同じであり、詳細はここで繰り返されない。
【００６５】
本発明の本実施形態は、複数のビームが３本のビーム（ビームＢ１、Ｂ３、及びＢ７）を含み、複数のＵＥが３個のＵＥ（ＵＥ０〜ＵＥ２）を含む一例を用いて説明されていることを理解されたい。これは一例にすぎず、本発明の本実施形態にいかなる限定も与えるものではない。あるいは、本発明の本実施形態の複数のビームは、１０本のビーム、２０本のビームなどを含んでもよく、複数のＵＥは、５個のＵＥ、１０個のＵＥなどを含んでもよい。本発明の本実施形態は、制御チャネルによって用いられる時間ドメインリソースがタイムスロット５の最初の４つのシンボルである一例を用いて説明されているが、本発明の本実施形態は、これに限定されるものではないことも理解されたい。あるいは、本発明の本実施形態の時間ドメインリソースは、タイムスロット６の最初の６つのシンボル、タイムスロット９の最初の４つのシンボルなどであってもよい。
【００６６】
したがって、本発明の本実施形態の、無線通信システムにおいて制御情報を送信するための方法によれば、基地局は最初に、制御チャネルによって用いられる時間ドメインリソースを決定し、時間ドメインリソースに含まれる複数のビームのポーリング時間内に複数のＵＥの制御情報を受信又は送信する。これにより、基地局と複数のＵＥとの間で、制御情報送信が実施される。
【００６７】
図３から図６を参照して、前述の事項では、本発明の本実施形態による、無線通信システムにおいて制御情報を送信するための方法を、基地局の観点から詳細に説明している。以下では、図７を参照して、本発明の一実施形態による、無線通信システムにおいて制御情報を送信するための方法を、ＵＥの観点から説明する。
【００６８】
図７は、本発明の一実施形態による、無線通信システムにおいて制御情報を送信するための方法２０００の概略ブロック図である。方法２０００は、ＵＥによって実行されてよく、以下の段階を含む。
【００６９】
Ｓ２１００：ＵＥは、制御チャネルによって用いられる時間ドメインリソースを決定する。制御チャネルは、複数のＵＥの制御情報を送信するように構成されており、このＵＥは、複数のＵＥのうちの１つであり、時間ドメインリソースは、複数のビームのポーリング時間を含む。
【００７０】
Ｓ２２００：ＵＥは、複数のビームのポーリング時間内にＵＥの制御情報を受信又は送信する。
【００７１】
具体的には、ＵＥは、制御チャネルによって用いられる時間ドメインリソースを決定する。任意選択で、ＵＥは、タイムスロットのどのシンボルが制御チャネルによって用いられるかを、プロトコルに従って決定し、用いられる時間ドメインリソースを含むタイムスロットを、セル番号に従って決定して、フレーム構造内の制御チャネルによって用いられる時間ドメインリソースの位置を決定してよい。例えば、制御チャネルがタイムスロットの最初の４つのシンボルを用いることをプロトコルが規定し、セル番号が０である場合、任意選択で、図２に示されるように、ＵＥは、制御チャネルによって用いられる時間ドメインリソースがタイムスロット０の最初の４つのシンボルか、又はタイムスロット５の最初の４つのシンボルであると決定することができる。制御チャネルは、複数のＵＥの制御情報を送信するように構成される。すなわち、時間ドメインリソースは、複数のＵＥの制御情報の送信によって占有される時間ドメインリソースのセットである。このＵＥは、複数のＵＥのうちの１つである。任意選択で、時間ドメインリソースは、図２に示されるタイムスロット０の最初の４つのシンボルか、又はタイムスロット５の最初の４つのシンボルであってよい。本発明の本実施形態は、これらに限定されるものではない。複数のＵＥのそれぞれは、対応するビームを有し、基地局は、ＵＥに対応するビームを通じて、制御情報をＵＥへ送信する。時間ドメインリソースは、複数のビームのポーリング時間を含む。すなわち、基地局は、複数のビームをポーリングすることで複数のＵＥと共に制御情報送信を実施する。ＵＥは、複数のビームのポーリング時間内にＵＥに対応するビームを通じてＵＥの制御情報を受信又は送信する。任意選択で、時間ドメインリソースがアップリンク制御情報によって用いられる時間ドメインリソースである場合、ＵＥは、複数のビームのポーリング時間内に、ＵＥに対応するビームを通じてアップリンク制御情報を基地局へ送信することができる。時間ドメインリソースがダウンリンク制御情報によって用いられる時間ドメインリソースである場合、ＵＥは、ＵＥに対応するビームを通じて、基地局によって送信されたダウンリンク制御情報を複数のビームのポーリング時間内に受信することができる。
【００７２】
したがって、本発明の本実施形態の、無線通信システムにおいて制御情報を送信するための方法によれば、ＵＥは最初に、制御チャネルによって用いられる時間ドメインリソースを決定し、時間ドメインリソースに含まれる複数のビームのポーリング時間内にＵＥの制御情報を受信又は送信する。これにより、基地局とＵＥとの間で、制御情報送信が実施される。
【００７３】
任意選択で、本発明の本実施形態では、複数のビームは、利用可能に構成された複数のビームであってよい。複数のビームのポーリング時間内にＵＥがＵＥの制御情報を受信又は送信することは、ＵＥに対応するビームのビームＩＤに従って、利用可能に構成された複数のビームにおける、ＵＥに対応するビームのポーリング時間をＵＥが決定する段階と、ＵＥに対応するビームのポーリング時間内にＵＥの制御情報をＵＥが受信又は送信する段階とを含んでよい。
【００７４】
具体的には、複数のビームが利用可能に構成された複数のビームである場合、すなわち、基地局によってポーリングされる複数のビームが利用可能に構成された複数のビームである場合、任意選択で、基地局は、ビームＩＤに従って複数のビームをポーリングすることができる。例えば、基地局は、ビームＩＤの昇順に従って複数のビームを連続的にポーリングすることができる。これらのビームは同じポーリング時間を有するので、ＵＥは、自身の対応するビームのビームＩＤに従って、ＵＥに対応するビームのポーリング時間を決定することができる。例えば、ＵＥに対応するビームのビームＩＤが２であり、ビームＩＤが０から始まる場合、ＵＥに対応するビームは、３番目にポーリングされるビームである。これらのビームは同じポーリング時間を有するので、ＵＥは、自身の対応するビームのポーリング時間を決定することができる。ＵＥに対応するビームのポーリング時間が決定された後に、ＵＥは、ＵＥに対応するビームのポーリング時間内にＵＥの制御情報を受信又は送信することができる。任意選択で、時間ドメインリソースがアップリンク制御情報によって用いられる時間ドメインリソースである場合、ＵＥは、ＵＥに対応するビームのポーリング時間内に、ＵＥに対応するビームを通じてアップリンク制御情報を基地局へ送信することができる。時間ドメインリソースがダウンリンク制御情報によって用いられる時間ドメインリソースである場合、ＵＥは、ＵＥに対応するビームのポーリング時間内に、ＵＥに対応するビームを通じて基地局によって送信されたダウンリンク制御情報を受信することができる。
【００７５】
例えば、図４に示されるように、ＵＥがＵＥ１である場合、ＵＥ１に対応するビームはビームＢ３である。ビームＩＤに従って、ＵＥは、自身の対応するビームが４番目にポーリングされるビームであると認識することができる。ＵＥが制御チャネルによって用いられる時間ドメインリソースを、例えば、タイムスロット５の最初の４つのシンボルと決定した後に、ＵＥは、時間ドメインリソースに含まれる８本のビームのポーリング時間の中でビームＢ３のポーリング時間を決定し、ビームＢ３のポーリング時間内に、基地局によって送信されたダウンリンク制御情報を受信する、又はビームＢ３を通じてアップリンク制御情報を基地局へ送信することができる。
【００７６】
任意選択で、本発明の本実施形態では、複数のビームが、利用可能に構成された複数のビームにおける、複数のＵＥに対応する複数のビームである場合、ＵＥが複数のビームのポーリング時間内にＵＥの制御情報を受信又は送信する前に、方法２０００はさらに、基地局によって送信されたブロードキャストメッセージをＵＥが受信する段階を含んでよく、ブロードキャストメッセージは、複数のＵＥに対応する複数のビームの本数を通知するのに用いられ、ＵＥが複数のビームのポーリング時間内にＵＥの制御情報を受信又は送信することは、複数のＵＥに対応する複数のビームの本数に従って、複数のＵＥに対応する複数のビームのポーリング時間をＵＥが決定する段階と、複数のＵＥに対応する複数のビームのポーリング時間内にＵＥの制御情報をＵＥが受信又は送信する段階とを含んでよい。
【００７７】
具体的には、複数のビームが、利用可能に構成された複数のビームにおける、複数のＵＥに対応する複数のビームである場合、すなわち、基地局によってポーリングされる複数のビームは、複数のＵＥに実際に割り当てられた複数のビームである。この場合、複数のＵＥに対応する複数のビームのビームＩＤは、連続していない場合があり、ＵＥは、ビームＩＤに従って対応する複数のビームのポーリング時間を決定することができない。この場合、任意選択で、ＵＥは、基地局によって送信されたブロードキャストメッセージを受信することができる。ブロードキャストメッセージは、複数のＵＥに対応する複数のビームの本数をＵＥに通知するのに用いられる。ＵＥは、複数のＵＥに対応する複数のビームの本数に基づいて、複数のＵＥに対応する複数のビームのポーリング時間を決定し、複数のＵＥに対応する複数のビームのポーリング時間内にＵＥの制御情報を受信又は送信することができる。アップリンク制御情報送信の場合、ＵＥは、複数のＵＥに対応する複数のビームのそれぞれのポーリング時間内に、アップリンク制御情報を基地局へ繰り返し送信する。このように、アップリンク制御情報は、各ビームのポーリング時間内に繰り返し送信されるので、基地局がＵＥに対応するビームをポーリングする場合、ＵＥは、自身の対応するビームのポーリング時間を認識していないが、基地局は、ＵＥのアップリンク制御情報を受信することができる。ダウンリンク制御情報送信の場合、ＵＥは、自身の対応するビームのポーリング時間がいつ到達するかも認識していない。任意選択で、ＵＥは、複数のＵＥに対応する複数のビームのそれぞれのポーリング時間内にダウンリンク制御情報を受信する状態を維持し、これにより、基地局がＵＥに対応するビームをポーリングするときに、ＵＥは、ＵＥのダウンリンク制御情報を受信することができる。ＵＥに対応するビームが複数のＵＥの制御情報の送信をサポートする場合、任意選択で、ＵＥによって受信されるダウンリンク制御情報は、複数のＵＥのそれぞれのダウンリンク制御情報を含んでよく、すなわち、ダウンリンク制御情報は、複数のＵＥのダウンリンク制御情報のセットである。異なるＵＥのダウンリンク制御情報は、異なる符号化シーケンスによって区別されてよい。ＵＥは、ダウンリンク制御情報を受信した後に、自身の復号化シーケンスを用いてダウンリンク制御情報を復号し、自身のダウンリンク制御情報を取得することができる。任意選択で、少なくとも１個のＵＥのダウンリンク制御情報は、異なる周波数によって区別されてよい。異なるＵＥのダウンリンク制御情報は、異なる周波数帯で送信されてよく、異なるＵＥは、異なる周波数帯でそれぞれのダウンリンク制御情報を受信することができる。
【００７８】
例えば、図５に示されるように、ＵＥがＵＥ１である場合、ＵＥ１に対応するビームはビームＢ３である。基地局によってポーリングされる複数のビームは、Ｂ１、Ｂ３、及びＢ７であり、ポーリングされる複数のビームのビームＩＤは連続していない。したがって、ＵＥは、ビームＩＤに従ってビームＢ３のポーリング時間を認識することができず、ＵＥは、３本のビームのそれぞれのポーリング時間内に、アップリンク制御情報を基地局へ繰り返し送信する。あるいは、ＵＥは、３本のビームのそれぞれのポーリング時間内にダウンリンク制御情報を受信する状態を維持し、ＵＥのダウンリンク制御情報を受信する。
【００７９】
任意選択で、本発明の本実施形態では、複数のビームが、利用可能に構成された複数のビームにおける、複数のＵＥに対応する複数のビームである場合、ＵＥが複数のビームのポーリング時間内にＵＥの制御情報を受信又は送信する前に、方法２０００はさらに、基地局によって送信された指示情報をＵＥが受信する段階を含んでよく、指示情報は、複数のＵＥに対応する複数のビームにおける、ＵＥに対応するビームのポーリングシーケンスを示すのに用いられ、ＵＥが複数のビームのポーリング時間内にＵＥの制御情報を受信又は送信することは、複数のＵＥに対応する複数のビームにおける、ＵＥに対応するビームのポーリングシーケンスに従って、複数のＵＥに対応する複数のビームにおける、ＵＥに対応するビームのポーリング時間をＵＥが決定する段階と、ＵＥに対応するビームのポーリング時間内にＵＥの制御情報をＵＥが受信又は送信する段階とを含んでよい。
【００８０】
具体的には、ＵＥが自身の対応するビームのポーリングシーケンスを認識していない場合、ＵＥは、複数のビームのそれぞれのポーリング時間内に制御情報を繰り返し送信又は受信する。任意選択で、本発明の本実施形態では、ＵＥは、基地局によって送信された指示情報を受信することができる。指示情報は、複数のＵＥに対応する複数のビームにおける、ＵＥに対応するビームのポーリングシーケンスを示すのに用いられる。したがって、ＵＥは、ポーリングシーケンスに従って、ＵＥに対応するビームのポーリング時間を決定し、各ビームのポーリング時間内にＵＥの制御情報を繰り返し送信又は受信する代わりに、ＵＥに対応するビームのポーリング時間内にＵＥの制御情報を送信又は受信することができる。任意選択で、アップリンク制御情報送信の場合、ＵＥは、ＵＥに対応するビームのポーリング時間内にＵＥに対応するビームを通じて、アップリンク制御情報を基地局へ送信する。ダウンリンク制御情報の場合、ＵＥは、ＵＥに対応するビームのポーリング時間内に、ＵＥに対応するビームを通じて基地局によって送信されたダウンリンク制御情報を受信する。ＵＥに対応するビームが複数のＵＥの制御情報の送信をサポートする場合、任意選択で、ＵＥによって受信されるダウンリンク制御情報は、複数のＵＥのそれぞれのダウンリンク制御情報を含んでよく、すなわち、ダウンリンク制御情報は、複数のＵＥのダウンリンク制御情報のセットである。異なるＵＥのダウンリンク制御情報は、異なる符号化シーケンスによって区別されてよい。ＵＥは、ダウンリンク制御情報を受信した後に、自身の復号化シーケンスを用いてダウンリンク制御情報を復号し、自身のダウンリンク制御情報を取得することができる。任意選択で、少なくとも１個のＵＥのダウンリンク制御情報は、異なる周波数によって区別されてよい。異なるＵＥのダウンリンク制御情報は、異なる周波数帯で送信されてよく、異なるＵＥは、異なる周波数帯でそれぞれのダウンリンク制御情報を受信することができる。
【００８１】
例えば、図６に示されるように、ＵＥがＵＥ２である場合、任意選択で、指示情報は、ＵＥに対応するビームのポーリングシーケンスが３であること、すなわち、ＵＥに対応するビームが３番目にポーリングされるビームであることを示すことができる。ＵＥは、指示情報によって示されたポーリングシーケンスに従って、ＵＥに対応するビームのポーリング時間を決定することができ、ＵＥは、ＵＥに対応するビームのポーリング時間内にＵＥに対応するビームを通じて、ＵＥの制御情報を送信又は受信することができる。
【００８２】
したがって、本発明の本実施形態の、無線通信システムにおいて制御情報を送信するための方法によれば、ＵＥは最初に、制御チャネルによって用いられる時間ドメインリソースを決定し、時間ドメインリソースに含まれる複数のビームのポーリング時間内にＵＥの制御情報を受信又は送信する。これにより、基地局とＵＥとの間で、制御情報送信が実施される。
【００８３】
図３から図７を参照して、前述の事項では、本発明の実施形態による、無線通信システムにおいて制御情報を送信するための方法を、基地局及びＵＥの観点から詳細に説明している。以下では、図８を参照して、本発明の一実施形態による、無線通信システムにおいて制御情報を送信するための方法を、装置インタラクションの観点から説明する。
【００８４】
図８は、本発明の一実施形態による、無線通信システムにおいて制御情報を送信するための方法の概略フローチャートである。
【００８５】
Ｓ３０１：基地局及びＵＥが、制御チャネルによって用いられる時間ドメインリソースを決定する。
【００８６】
基地局及びＵＥが制御情報を送信する前に、基地局及びＵＥは最初に、制御チャネルによって用いられる時間ドメインリソースを決定する。制御チャネルは、複数のＵＥの制御情報を送信するように構成されている。すなわち、時間ドメインリソースは、複数のＵＥの制御情報を送信するために占有される時間ドメインリソースのセットである。基地局及びＵＥが時間ドメインリソースを決定した後に、基地局及びＵＥは、時間ドメインリソースで制御情報を送信することができる。任意選択で、時間ドメインリソースは、複数のビームのポーリング時間を含んでよい。基地局は、複数のビームをポーリングすることで、複数のビームに対応するＵＥとの間で制御情報を送信及び受信し、これにより、基地局は、複数のＵＥと共に制御情報送信を実施することができる。
【００８７】
複数のビームが利用可能に構成された複数のビームである場合、基地局についてはＳ３０４において、基地局は、第１のビームのポーリング時間内に第１のビームに対応する少なくとも１個のＵＥによって送信されたアップリンク制御情報を、第１のビームのポーリング時間内に受信するか、又は、基地局は、第１のビームのポーリング時間内に第１のビームに対応する少なくとも１個のＵＥへダウンリンク制御情報を送信する。ここで、第１のビームは、第１のビームセットにおけるビームであり、第１のビームセットは、利用可能に構成された複数のビームにおける、複数のＵＥに対応する複数のビームを含む。
【００８８】
ＵＥについては、基地局によってポーリングされる複数のビームは、利用可能に構成された複数のビームであり、基地局は、ビームＩＤの順序に従って複数のビームをポーリングする。したがって、複数のＵＥのそれぞれは、ＵＥに対応するビームのビームＩＤに従って、ＵＥに対応するビームのポーリング時間を決定することができる。任意選択で、時間ドメインリソースがアップリンク制御情報によって用いられる時間ドメインリソースである場合、ＵＥは、自身の対応するビームのポーリング時間内に、アップリンク制御情報を基地局へ送信することができる。ＵＥによって決定された時間ドメインリソースがダウンリンク制御情報によって用いられる時間ドメインリソースである場合、ＵＥは、自身の対応するビームのポーリング時間内に、基地局によって送信されたダウンリンク制御情報を受信することができる。ＵＥに対応するビームが複数のＵＥの制御情報の送信をサポートする場合、任意選択で、ＵＥによって受信されるダウンリンク制御情報は、複数のＵＥのそれぞれのダウンリンク制御情報を含んでよく、すなわち、ダウンリンク制御情報は、複数のＵＥのダウンリンク制御情報のセットであってよい。異なるＵＥのダウンリンク制御情報は、異なる符号化シーケンスによって区別されてよい。ＵＥは、ダウンリンク制御情報を受信した後に、自身の復号化シーケンスを用いてダウンリンク制御情報を復号し、自身のダウンリンク制御情報を取得することができる。任意選択で、少なくとも１個のＵＥのダウンリンク制御情報は、異なる周波数によって区別されてよい。異なるＵＥのダウンリンク制御情報は、異なる周波数帯で送信されてよく、異なるＵＥは、異なる周波数帯でそれぞれのダウンリンク制御情報を受信することができる。
【００８９】
複数のビームが、利用可能に構成された複数のビームにおける、複数のＵＥに対応する複数のビームである場合、Ｓ３０２において、基地局は、ブロードキャストメッセージをＵＥへ送信し、ブロードキャストメッセージは、複数のＵＥに対応する複数のビームの本数を通知するのに用いられる。
【００９０】
この場合、基地局についてはＳ３０４において、時間ドメインリソースがダウンリンク制御情報によって用いられる時間ドメインリソースである場合、基地局は、複数のＵＥに対応する複数のビームのポーリング時間内に第２のビームに対応する少なくとも１個のＵＥによって送信されたアップリンク制御情報を、第２のビームのポーリング時間内に受信する。すなわち、少なくとも１個のＵＥは、複数のＵＥに対応する複数のビームのそれぞれのポーリング時間内に、アップリンク制御情報を基地局へ繰り返し送信する。第２のビームは、複数のＵＥに対応する複数のビームにおけるビームである。ダウンリンク制御情報送信の場合、基地局は、第２のビームのポーリング時間内に、第２のビームに対応する少なくとも１個のＵＥへダウンリンク制御情報を送信する。任意選択で、ダウンリンク制御情報は、少なくとも１個のＵＥのそれぞれのダウンリンク制御情報を含んでよい。すなわち、ダウンリンク制御情報は、少なくとも１個のＵＥのダウンリンク制御情報のセットであってよい。異なるＵＥのダウンリンク制御情報は、異なる符号化シーケンスによって区別されてよい。ＵＥは、ダウンリンク制御情報を受信した後に、それ自身の復号化シーケンスを用いてダウンリンク制御情報を復号し、それ自身のダウンリンク制御情報を取得することができる。任意選択で、少なくとも１個のＵＥのダウンリンク制御情報は、異なる周波数によって区別されてよい。異なるＵＥのダウンリンク制御情報は、異なる周波数帯で送信されてよく、異なるＵＥは、異なる周波数帯でそれぞれのダウンリンク制御情報を受信することができる。
【００９１】
ＵＥの場合、複数のビームは、利用可能に構成された複数のビームにおける、複数のＵＥに対応する複数のビームなので、複数のＵＥに対応する複数のビームのビームＩＤは、連続していない場合がある。ＵＥは、ビームＩＤに従って、対応するビームのポーリング時間を判定することができない。この場合、ＵＥは、複数のＵＥに対応する複数のビームのポーリング時間内に、ＵＥに対応するビームを通じてＵＥの制御情報を受信又は送信する。すなわち、アップリンク制御情報送信の場合、ＵＥは、ＵＥに割り当てられた複数のビームのそれぞれのポーリング時間内に、アップリンク制御情報を基地局へ繰り返し送信する。ダウンリンク制御情報送信の場合、ＵＥは、ＵＥに割り当てられた複数のビームのそれぞれのポーリング時間内に、ダウンリンク制御情報を受信する状態を維持し、これにより、基地局がＵＥに対応するビームをポーリングするときに、基地局は、ＵＥのダウンリンク制御情報を受信することができる。
【００９２】
任意選択で、複数のビームが利用可能に構成された複数のビームにおける、複数のＵＥに対応する複数のビームである場合、Ｓ３０３で基地局は、指示情報をＵＥへ送信する。ここで、指示情報は、複数のＵＥに対応する複数のビームにおける、ＵＥに対応するビームのポーリングシーケンスを示す。
【００９３】
複数のＵＥに対応する複数のビームは、異なるポーリングシーケンスを有してよい。したがって、複数のＵＥに対応する複数のビームのポーリングシーケンスを示す指示情報は、基地局によってＵＥへ個別に送信される。基地局は、ＵＥに対応するビームのポーリングシーケンスを示すために、複数のＵＥのそれぞれへ指示情報を送信し、これにより、ＵＥは、ポーリングシーケンスに従って、ＵＥに対応するビームのポーリング時間を決定することができる。次にＵＥは、それぞれのビームのポーリング時間内に制御情報を繰り返し送信又は受信する代わりに、自身の対応するビームのポーリング時間内に制御情報を受信又は送信することができる。
【００９４】
この場合、Ｓ３０４で、基地局は、第３のビームのポーリング時間内に第３のビームに対応する少なくとも１個のＵＥによって送信されたアップリンク制御情報を、第３のビームのポーリング時間内に受信するか、又は、第３のビームのポーリング時間内に第３のビームに対応する少なくとも１個のＵＥへダウンリンク制御情報を送信する。ここで、第３のビームは、複数のＵＥに対応する複数のビームにおけるビームであり、第３のビームのポーリング時間は、第３のビームのポーリングシーケンスに従って、第３のビームに対応する少なくとも１個のＵＥによって決定される。
【００９５】
したがって、本発明の本実施形態の、無線通信システムにおいて制御情報を送信するための方法によれば、基地局は最初に、制御チャネルによって用いられる時間ドメインリソースを決定し、時間ドメインリソースに含まれる複数のビームのポーリング時間内に複数のＵＥの制御情報を受信又は送信する。これにより、基地局と複数のＵＥとの間で、制御情報送信が実施される。
【００９６】
図３から図８を参照して、前述の事項では、本発明の本実施形態による、無線通信システムにおいて制御情報を送信するための方法を詳細に説明している。以下では、図９から図１２を参照して、本発明の実施形態による、無線通信システムにおいて制御情報を送信するための装置を説明する。
【００９７】
図９は、本発明の一実施形態による、無線通信システムにおいて制御情報を送信するための基地局５００の概略ブロック図である。基地局５００は、制御チャネルによって用いられる時間ドメインリソースを決定するように構成された決定モジュール５１０であって、制御チャネルは、複数のＵＥの制御情報を送信するように構成され、時間ドメインリソースは、複数のビームのポーリング時間を含む、決定モジュール５１０と、決定モジュール５１０によって決定された時間ドメインリソースに含まれる複数のビームのポーリング時間内に、複数のＵＥの制御情報を受信又は送信するように構成された送受信モジュール５２０であって、複数のＵＥのそれぞれの制御情報は、ＵＥに対応するビームを通じて送信される、送受信モジュール５２０とを含む。
【００９８】
具体的には、決定モジュール５１０は、制御チャネルによって用いられる時間ドメインリソースを決定する。任意選択で、決定モジュール５１０は、タイムスロットのどのシンボルが制御チャネルによって用いられるかを、プロトコルに従って決定し、用いられる時間ドメインリソースを含むタイムスロットを、セル番号に従って決定して、フレーム構造内の制御チャネルによって用いられる時間ドメインリソースの位置を決定してよい。例えば、制御チャネルがタイムスロットの最初の４つのシンボルを用いることをプロトコルが規定し、セル番号が０である場合、任意選択で、図２に示されるように、決定モジュール５１０は、制御チャネルによって用いられる時間ドメインリソースがタイムスロット０の最初の４つのシンボルか、又はタイムスロット５の最初の４つのシンボルであると決定することができる。制御チャネルは、複数のＵＥの制御情報を送信するように構成される。すなわち、時間ドメインリソースは、複数のＵＥの制御情報の送信によって占有される時間ドメインリソースのセットである。任意選択で、時間ドメインリソースは、図２に示されるタイムスロット０の最初の４つのシンボルか、又はタイムスロット５の最初の４つのシンボルであってよい。本発明の本実施形態は、これらに限定されるものではない。任意選択で、時間ドメインリソースは、複数のビームのポーリング時間を含んでよい。すなわち、時間ドメインリソースでは、各ビームはそれ自身のポーリング時間を有し、時間ドメインリソースは、複数のビームのそれぞれのポーリング時間を含む。決定モジュール５１０が時間ドメインリソースを決定した後に、送受信モジュール５２０は、時間ドメインリソースに含まれる複数のビームのポーリング時間内に、複数のＵＥの制御情報を受信又は送信することができる。例えば、第１のビームが複数のビームのうちの1つである場合、送受信モジュール５２０は、第１のビームのポーリング時間内に第１のビームに対応する少なくとも１個のＵＥの制御情報を受信又は送信する。このように、送受信モジュール５２０は、複数のビームのポーリング時間内に複数のビームに対応するＵＥの制御情報を受信又は送信することができる。
【００９９】
したがって、本発明の本実施形態の、無線通信システムにおいて制御情報を送信するための基地局によれば、基地局は最初に、制御チャネルによって用いられる時間ドメインリソースを決定し、時間ドメインリソースに含まれる複数のビームのポーリング時間内に複数のＵＥの制御情報を受信又は送信する。これにより、基地局と複数のＵＥとの間で、制御情報送信が実施される。
【０１００】
任意選択で、本発明の本実施形態では、複数のビームは、利用可能に構成された複数のビームであり、この場合、送受信モジュール５２０は具体的には、第１のビームのポーリング時間内に第１のビームに対応する少なくとも１個のＵＥによって送信されたアップリンク制御情報を、第１のビームのポーリング時間内に受信するか、又は、第１のビームのポーリング時間内に第１のビームに対応する少なくとも１個のＵＥへダウンリンク制御情報を送信するように構成される。ここで、第１のビームは第１のビームセットにおけるビームであり、第１のビームセットは、利用可能に構成された複数のビームにおける、複数のＵＥに対応する複数のビームを含む。
【０１０１】
具体的には、複数のビームが利用可能に構成された複数のビームである場合、送受信モジュール５２０は、第１のビームのポーリング時間内に第１のビームに対応する少なくとも１個のＵＥによって送信されたアップリンク制御情報を、利用可能に構成された複数のビームのそれぞれのポーリング時間内に受信するか、又は、第１のビームのポーリング時間内に第１のビームに対応する少なくとも１個のＵＥへダウンリンク制御情報を送信する。第１のビームは、第１のビームセットにおけるビームであり、第１のビームセットは、利用可能に構成された複数のビームにおける、複数のＵＥに対応する複数のビームを含む。任意選択で、ダウンリンク制御情報は、少なくとも１個のＵＥのダウンリンク制御情報のセットであってよい。異なるＵＥのダウンリンク制御情報は、異なる符号化シーケンスを用いて区別されてよい。異なるＵＥは、ダウンリンク制御情報を受信した後に、異なる復号化シーケンスを用いてダウンリンク制御情報を復号し、それぞれのダウンリンク制御情報を取得することができる。任意選択で、少なくとも１個のＵＥのダウンリンク制御情報は、異なる周波数によって区別されてよい。異なるＵＥのダウンリンク制御情報は、異なる周波数帯で送信されてよく、異なるＵＥは、異なる周波数帯でそれぞれのダウンリンク制御情報を受信することができる。
【０１０２】
複数のビームは利用可能に構成された複数のビームなので、すなわち、複数のビームはＵＥに対応しないビームを含む場合がある。そのビームは、複数のＵＥに割り当てられていないビームである。基地局が、複数のＵＥに割り当てられていないビームをポーリングした場合、そのビームで送信される制御情報は何もない。これが意味することは、基地局によってポーリングされる利用可能に構成された複数のビームには、いくつかの余分なビームが存在するということである。この場合、基地局によってポーリングされる複数のビームは、利用可能に構成された複数のビームにおける、複数のＵＥに対応する複数のビームであってよい。すなわち、複数のビームは、複数のＵＥに割り当てられた複数のビームのセットである。この場合、基地局５００はさらに、ブロードキャストメッセージを複数のＵＥへ送信するように構成された第１の送信モジュールを含んでよく、ブロードキャストメッセージは、複数のＵＥに対応する複数のビームの本数を通知するのに用いられ、複数のＵＥに対応する複数のビームの本数は、複数のＵＥに対応する複数のビームのポーリング時間を決定するために、複数のＵＥによって用いられる。
【０１０３】
この場合、送受信モジュール５２０は具体的には、複数のＵＥに対応する複数のビームのそれぞれのポーリング時間内に第２のビームに対応する少なくとも１個のＵＥによって送信されたアップリンク制御情報を、第２のビームのポーリング時間内に受信するか、又は、第２のビームのポーリング時間内に第２のビームに対応する少なくとも１個のＵＥへダウンリンク制御情報を送信するように構成され、第２のビームは、複数のＵＥに対応する複数のビームにおけるビームである。
【０１０４】
具体的には、複数のビームが、利用可能に構成された複数のビームにおける、複数のＵＥに対応する複数のビームである場合、すなわち、基地局によってポーリングされる複数のビームは、複数のＵＥに実際に割り当てられた複数のビームである。この場合、複数のＵＥに対応する複数のビームのビームＩＤは、連続していない場合があり、ＵＥは、ビームＩＤに従って対応する複数のビームのポーリング時間を決定することができない。この場合、任意選択で、第１の送信モジュールは、複数のＵＥに実際に割り当てられた複数のビームの本数を複数のＵＥに通知するために、ブロードキャストメッセージを複数のＵＥへ送信することができる。このように、ＵＥは、複数のＵＥに対応する複数のビームの本数に従って、複数のＵＥに対応する複数のビームのポーリング時間を決定し、複数のＵＥに対応する複数のビームのポーリング時間内にＵＥの制御情報を受信又は送信することができる。任意選択で、アップリンク制御情報送信の場合、送受信モジュール５２０は、複数のＵＥに対応する複数のビームのそれぞれのポーリング時間内に第２のビームに対応する少なくとも１個のＵＥによって送信されたアップリンク制御情報を、第２のビームのポーリング時間内に受信する。すなわち、少なくとも１個のＵＥは、複数のＵＥに対応する複数のビームのそれぞれのポーリング時間内に、アップリンク制御情報を基地局へ繰り返し送信する。第２のビームは、複数のＵＥに対応する複数のビームにおけるビームである。この場合、アップリンク制御情報は、各ビームのポーリング時間内に繰り返し送信されるので、基地局がＵＥに対応するビームをポーリングする場合、ＵＥは、自身の対応するビームのポーリング時間を認識していないが、基地局は、ＵＥのアップリンク制御情報を受信することができる。ダウンリンク制御情報送信の場合、送受信モジュール５２０は、第２のビームのポーリング時間内に、第２のビームに対応する少なくとも１個のＵＥへダウンリンク制御情報を送信する。任意選択で、ダウンリンク制御情報は、少なくとも１個のＵＥのそれぞれのダウンリンク制御情報を含んでよい。すなわち、ダウンリンク制御情報は、少なくとも１個のＵＥのダウンリンク制御情報のセットであってよい。異なるＵＥのダウンリンク制御情報は、異なる符号化シーケンスを用いて区別されてよい。異なるＵＥは、ダウンリンク制御情報を受信した後に、異なる復号化シーケンスを用いてダウンリンク制御情報を復号し、それぞれのダウンリンク制御情報を取得することができる。任意選択で、少なくとも１個のＵＥのダウンリンク制御情報は、異なる周波数によって区別されてよい。異なるＵＥのダウンリンク制御情報は、異なる周波数帯で送信されてよく、異なるＵＥは、異なる周波数帯でそれぞれのダウンリンク制御情報を受信することができる。
【０１０５】
任意選択で、本発明の本実施形態では、基地局５００はさらに、複数のＵＥのそれぞれへ指示情報を送信するように構成された第２の送信モジュールを含んでよく、指示情報は、複数のＵＥに対応する複数のビームにおける、複数のＵＥのそれぞれに対応するビームのポーリングシーケンスを示すのに用いられる。
【０１０６】
この場合、送受信モジュール５２０は具体的には、第３のビームのポーリング時間内に第３のビームに対応する少なくとも１個のＵＥによって送信されたアップリンク制御情報を、第３のビームのポーリング時間内に受信するか、又は、第３のビームのポーリング時間内に第３のビームに対応する少なくとも１個のＵＥへダウンリンク制御情報を送信するように構成され、第３のビームは、複数のＵＥに対応する複数のビームにおけるビームであり、第３のビームのポーリング時間は、第３のビームのポーリングシーケンスに従って、第３のビームに対応する少なくとも１個のＵＥによって決定される。
【０１０７】
具体的には、ＵＥが自身の対応するビームのポーリングシーケンスを認識していない場合、ＵＥは、複数のビームのそれぞれのポーリング時間内に制御情報を繰り返し送信又は受信する。任意選択で、第２の送信モジュールは、複数のＵＥのそれぞれへ指示情報を送信して、複数のＵＥに対応する複数のビームにおける、複数のＵＥのそれぞれに対応するビームのポーリングシーケンスを示すことができる。これらのビームは同じポーリング時間を有するので、ＵＥは、ポーリングシーケンスに従って、ＵＥに対応するビームのポーリング時間を決定することができ、各ビームのポーリング時間内に制御情報を繰り返し受信又は送信する代わりに、自身の対応するビームのポーリング時間内に制御情報を受信又は送信することができる。任意選択で、アップリンク制御情報送信の場合、送受信モジュール５２０は、複数のＵＥに対応する複数のビームのそれぞれのポーリング時間内に、現在ポーリングされているビームに対応する少なくとも１個のＵＥによって送信されたアップリンク制御情報を、現在ポーリングされているビームを通じて受信する。
例えば、送受信モジュール５２０は、第３のビームのポーリング時間内に第３のビームに対応する少なくとも１個のＵＥによって送信されたアップリンク制御情報を、第３のビームのポーリング時間内に受信する。第３のビームは、複数のＵＥに割り当てられた複数のビームにおけるビームである。ダウンリンク制御情報送信の場合、送受信モジュール５２０は、現在ポーリングされているビームを通じて、複数のＵＥに対応する複数のビームのそれぞれのポーリング時間内に、現在ポーリングされているビームに対応する少なくとも１個のＵＥへダウンリンク制御情報を送信する。例えば、送受信モジュール５２０は、第３のビームのポーリング時間内に、第３のビームに対応する少なくとも１個のＵＥへダウンリンク制御情報を送信する。任意選択で、ダウンリンク制御情報は、少なくとも１個のＵＥのそれぞれのダウンリンク制御情報を含む。すなわち、ダウンリンク制御情報は、少なくとも１個のＵＥのダウンリンク制御情報のセットであってよい。異なるＵＥのダウンリンク制御情報は、異なる符号化シーケンスを用いて区別されてよい。少なくとも１個のＵＥは、ダウンリンク制御情報を受信した後に、異なる復号化シーケンスを用いてダウンリンク制御情報を復号し、それぞれのダウンリンク制御情報を取得することができる。任意選択で、少なくとも１個のＵＥのダウンリンク制御情報は、異なる周波数によって区別されてよい。異なるＵＥのダウンリンク制御情報は、異なる周波数帯で送信されてよく、異なるＵＥは、異なる周波数帯でそれぞれのダウンリンク制御情報を受信することができる。
【０１０８】
したがって、本発明の本実施形態の、無線通信システムにおいて制御情報を送信するための基地局によれば、基地局は最初に、制御チャネルによって用いられる時間ドメインリソースを決定し、時間ドメインリソースに含まれる複数のビームのポーリング時間内に複数のＵＥの制御情報を受信又は送信する。これにより、基地局と複数のＵＥとの間で、制御情報送信が実施される。
【０１０９】
本発明の本実施形態による基地局５００は、本発明の本実施形態の、無線通信システムにおいて制御情報を送信するための方法１０００における基地局に対応してよく、基地局５００内のモジュールに関する前述及び他の動作及び／又は機能は、前述の方法の対応する手順を実施するために個別に実行される。簡潔さを目的に、詳細はここで繰り返されない。
【０１１０】
図１０は、本発明の一実施形態による、無線通信システムにおいて制御情報を送信するためのＵＥ６００の概略ブロック図である。ＵＥ６００は、制御チャネルによって用いられる時間ドメインリソースを決定するように構成された決定モジュール６１０であって、制御チャネルは、複数のＵＥの制御情報を送信するように構成され、このＵＥは、複数のＵＥのうちの１つであり、時間ドメインリソースは、複数のビームのポーリング時間を含む、決定モジュール６１０と、決定モジュール６１０によって決定された時間ドメインリソースに含まれる複数のビームのポーリング時間内に、ＵＥの制御情報を受信又は送信するように構成された送受信モジュール６２０とを含む。
【０１１１】
具体的には、決定モジュール６１０は、制御チャネルによって用いられる時間ドメインリソースを決定する。任意選択で、決定モジュール６１０は、タイムスロットのどのシンボルが制御チャネルによって用いられるかを、プロトコルに従って決定し、用いられる時間ドメインリソースを含むタイムスロットを、セル番号に従って決定して、フレーム構造内の制御チャネルによって用いられる時間ドメインリソースの位置を決定してよい。例えば、制御チャネルが最初の４つのシンボルを用いることをプロトコルが規定し、セル番号が０である場合、任意選択で、図２に示されるように、決定モジュール６１０は、制御チャネルによって用いられる時間ドメインリソースがタイムスロット０の最初の４つのシンボルか、又はタイムスロット５の最初の４つのシンボルであると決定することができる。制御チャネルは、複数のＵＥの制御情報を送信するように構成される。すなわち、時間ドメインリソースは、複数のＵＥの制御情報の送信によって占有される時間ドメインリソースのセットである。このＵＥは、複数のＵＥのうちの１つである。任意選択で、時間ドメインリソースは、図２に示されるタイムスロット０の最初の４つのシンボルか、又はタイムスロット５の最初の４つのシンボルであってよい。本発明の本実施形態は、これらに限定されるものではない。複数のＵＥのそれぞれは、対応するビームを有し、基地局は、ＵＥに対応するビームを通じて、制御情報をＵＥへ送信する。時間ドメインリソースは、複数のビームのポーリング時間を含む。すなわち、基地局は、複数のビームをポーリングすることで複数のＵＥと共に制御情報送信を実施する。送受信モジュール６２０は、複数のビームのポーリング時間内にＵＥに対応するビームを通じてＵＥの制御情報を受信又は送信する。任意選択で、時間ドメインリソースがアップリンク制御情報によって用いられる時間ドメインリソースである場合、送受信モジュール６２０は、複数のビームのポーリング時間内に、ＵＥに対応するビームを通じてアップリンク制御情報を基地局へ送信することができる。時間ドメインリソースがダウンリンク制御情報によって用いられる時間ドメインリソースである場合、送受信モジュール６２０は、ＵＥに対応するビームを通じて、基地局によって送信されたダウンリンク制御情報を複数のビームのポーリング時間内に受信することができる。任意選択で、異なるＵＥのダウンリンク制御情報が、異なる周波数帯で送信されてよく、送受信モジュール６２０は、異なる周波数帯でダウンリンク制御情報を受信することができる。
【０１１２】
したがって、本発明の本実施形態の、無線通信システムにおいて制御情報を送信するためのＵＥによれば、ＵＥは最初に、制御チャネルによって用いられる時間ドメインリソースを決定し、時間ドメインリソースに含まれる複数のビームのポーリング時間内にＵＥの制御情報を受信又は送信する。これにより、基地局とＵＥとの間で、制御情報送信が実施される。
【０１１３】
任意選択で、本発明の本実施形態では、複数のビームは、利用可能に構成された複数のビームであり、決定モジュール６１０はさらに、ＵＥに対応するビームのビーム識別子ＩＤに従って、利用可能に構成された複数のビームにおける、ＵＥに対応するビームのポーリング時間を決定するように構成される。
【０１１４】
送受信モジュール６２０は具体的には、決定モジュール６１０によって決定される、ＵＥに対応するビームのポーリング時間内に、ＵＥの制御情報を受信又は送信するように構成される。
【０１１５】
具体的には、複数のビームが利用可能に構成された複数のビームである場合、すなわち、基地局によってポーリングされる複数のビームが利用可能に構成された複数のビームである場合、任意選択で、基地局は、ビームＩＤに従って複数のビームをポーリングすることができる。例えば、基地局は、ビームＩＤの昇順に従って複数のビームを連続的にポーリングすることができる。これらのビームは同じポーリング時間を有するので、決定モジュール６１０は、ＵＥに対応するビームのビームＩＤに従って、ＵＥに対応するビームのポーリング時間を決定することができる。決定モジュール６１０がＵＥに対応するビームのポーリング時間を決定した後に、送受信モジュール６２０は、ＵＥに対応するビームのポーリング時間内にＵＥの制御情報を受信又は送信することができる。任意選択で、時間ドメインリソースがアップリンク制御情報によって用いられる時間ドメインリソースである場合、送受信モジュール６２０は、ＵＥに対応するビームのポーリング時間内に、ＵＥに対応するビームを通じてアップリンク制御情報を基地局へ送信することができる。時間ドメインリソースがダウンリンク制御情報によって用いられる時間ドメインリソースである場合、送受信モジュール６２０は、基地局によって送信されたダウンリンク制御情報を、ＵＥに対応するビームを通じて、ＵＥに対応するビームのポーリング時間内に受信することができる。
【０１１６】
任意選択で、本発明の本実施形態では、複数のビームは、利用可能に構成された複数のビームにおける、複数のＵＥに対応する複数のビームであり、ＵＥ６００はさらに、基地局によって送信されたブロードキャストメッセージを受信するように構成された第１の受信モジュールを含んでよく、ブロードキャストメッセージは、複数のＵＥに対応する複数のビームの本数を通知するのに用いられる。
【０１１７】
決定モジュール６１０はさらに、複数のＵＥに対応する複数のビームの本数に従って、複数のＵＥに対応する複数のビームのポーリング時間を決定するように構成される。
【０１１８】
送受信モジュール６２０は具体的には、決定モジュール６１０によって決定される、複数のＵＥに対応する複数のビームのポーリング時間内に、ＵＥの制御情報を受信又は送信するように構成される。
【０１１９】
具体的には、複数のビームが、利用可能に構成された複数のビームにおける、複数のＵＥに対応する複数のビームである場合、すなわち、基地局によってポーリングされる複数のビームは、複数のＵＥに実際に割り当てられた複数のビームである。この場合、複数のＵＥに対応する複数のビームのビームＩＤは、連続していない場合があり、ＵＥは、ビームＩＤに従って対応する複数のビームのポーリング時間を決定することができない。この場合、任意選択で、第１の受信モジュールは、基地局によって送信されたブロードキャストメッセージを受信することができる。ブロードキャストメッセージは、複数のＵＥに対応する複数のビームの本数をＵＥに通知するのに用いられる。決定モジュール６１０は、複数のＵＥに対応する複数のビームの本数に基づいて、複数のＵＥに対応する複数のビームのポーリング時間を決定することができ、送受信モジュール６２０は、複数のＵＥに対応する複数のビームのポーリング時間内にＵＥの制御情報を受信又は送信することができる。ＵＥの制御情報は、複数のＵＥに対応する複数のビームのポーリング時間内に繰り返し送信される。アップリンク制御情報送信の場合、送受信モジュール６２０は、複数のＵＥに対応する複数のビームのそれぞれのポーリング時間内に、アップリンク制御情報を基地局へ繰り返し送信する。ダウンリンク制御情報送信の場合、ＵＥは、自身の対応するビームのポーリング時間がいつ到達するかも認識していない。任意選択で、送受信モジュール６２０は、複数のＵＥに対応する複数のビームのそれぞれのポーリング時間内にダウンリンク制御情報を受信する状態を維持し、これにより、基地局がＵＥに対応するビームをポーリングするときに、送受信モジュール６２０は、ＵＥのダウンリンク制御情報を受信することができる。ＵＥに対応するビームが複数のＵＥの制御情報の送信をサポートする場合、任意選択で、送受信モジュール６２０によって受信されるダウンリンク制御情報は、複数のＵＥのそれぞれのダウンリンク制御情報を含んでよく、すなわち、ダウンリンク制御情報は、複数のＵＥのダウンリンク制御情報のセットである。異なるＵＥのダウンリンク制御情報は、異なる符号化シーケンスによって区別されてよい。送受信モジュール６２０は、ダウンリンク制御情報を受信した後に、ＵＥの復号化シーケンスを用いてダウンリンク制御情報を復号し、ＵＥのダウンリンク制御情報を取得することができる。
【０１２０】
任意選択で、本発明の本実施形態では、複数のビームは、利用可能に構成された複数のビームにおける、複数のＵＥに対応する複数のビームであり、ＵＥ６００はさらに、基地局によって送信された指示情報を受信するように構成された第２の受信モジュールを含んでよく、指示情報は、複数のＵＥに対応する複数のビームにおける、ＵＥに対応するビームのポーリングシーケンスを示すのに用いられる。
【０１２１】
この場合、決定モジュール６１０はさらに、複数のＵＥに対応する複数のビームにおける、ＵＥに対応するビームのポーリングシーケンスに従って、複数のＵＥに対応する複数のビームにおける、ＵＥに対応するビームのポーリング時間を決定するように構成される。
【０１２２】
この場合、送受信モジュール６２０は具体的には、ＵＥに対応するビームのポーリング時間内にＵＥの制御情報を受信又は送信するように構成される。
【０１２３】
具体的には、ＵＥが自身の対応するビームのポーリングシーケンスを認識していない場合、送受信モジュール６２０は、複数のビームのそれぞれのポーリング時間内に制御情報を繰り返し送信又は受信する。任意選択で、本発明の本実施形態では、第２の受信モジュールは、基地局によって送信された指示情報を受信することができる。指示情報は、複数のＵＥに対応する複数のビームにおける、ＵＥに対応するビームのポーリングシーケンスを示すのに用いられる。したがって、決定モジュール６１０は、複数のＵＥに対応する複数のビームにおける、ＵＥに対応するビームのポーリングシーケンスに従って、複数のＵＥに対応する複数のビームにおける、ＵＥに対応するビームのポーリング時間を決定することができ、送受信モジュール６２０は、各ビームのポーリング時間内にＵＥの制御情報を繰り返し送信又は受信する代わりに、ＵＥに対応するビームのポーリング時間内にＵＥの制御情報を送信又は受信することができる。任意選択で、時間ドメインリソースがアップリンク制御情報によって用いられる時間ドメインリソースである場合、送受信モジュール６２０は、ＵＥに対応するビームのポーリング時間内に、ＵＥに対応するビームを通じてアップリンク制御情報を基地局へ送信することができる。時間ドメインリソースがダウンリンク制御情報によって用いられる時間ドメインリソースである場合、送受信モジュール６２０は、ＵＥに対応するビームのポーリング時間内に、ＵＥに対応するビームを通じて基地局によって送信されたダウンリンク制御情報を受信することができる。
【０１２４】
したがって、本発明の本実施形態の、無線通信システムにおいて制御情報を送信するためのＵＥによれば、ＵＥは最初に、制御チャネルによって用いられる時間ドメインリソースを決定し、時間ドメインリソースに含まれる複数のビームのポーリング時間内にＵＥの制御情報を受信又は送信する。これにより、基地局とＵＥとの間で、制御情報送信が実施される。
【０１２５】
本発明の本実施形態によるＵＥ６００は、本発明の本実施形態の、無線通信システムにおいて制御情報を送信するための方法２０００におけるＵＥに対応してよく、ＵＥ６００内のモジュールに関する前述及び他の動作及び／又は機能は、前述の方法の対応する手順を実施するために個別に実行される。簡潔さを目的に、詳細はここで繰り返されない。
【０１２６】
図１１に示されるように、本発明の一実施形態がさらに、基地局８００を提供する。基地局８００は、プロセッサ８１０、メモリ８２０、バスシステム８３０、及び送受信機８４０を含む。プロセッサ８１０、メモリ８２０、及び送受信機８４０は、バスシステム８３０を用いて接続される。メモリ８２０は、命令を格納するように構成される。プロセッサ８１０は、送受信機８４０を用いて信号を受信又は送信するために、メモリ８２０に格納された命令を実行するように構成される。プロセッサ８１０は、制御チャネルによって用いられる時間ドメインリソースを決定するように構成される。制御チャネルは、複数のＵＥの制御情報を送信するように構成される。時間ドメインリソースは、複数のビームのポーリング時間を含む。送受信機８４０は、複数のビームのポーリング時間内に複数のＵＥの制御情報を受信又は送信するように構成される。複数のＵＥのそれぞれの制御情報が、ＵＥに対応するビームを通じて送信される。
【０１２７】
したがって、本発明の本実施形態の、無線通信システムにおいて制御情報を送信するための基地局によれば、基地局は最初に、制御チャネルによって用いられる時間ドメインリソースを決定し、時間ドメインリソースに含まれる複数のビームのポーリング時間内に複数のＵＥの制御情報を受信又は送信する。これにより、基地局と複数のＵＥとの間で、制御情報送信が実施される。
【０１２８】
本発明の本実施形態では、プロセッサ８１０は、中央処理装置（Ｃｅｎｔｒａｌ  Ｐｒｏｃｅｓｓｉｎｇ  Ｕｎｉｔ、略して「ＣＰＵ」）であってよいことを理解されたい。あるいは、プロセッサ８１０は、別の汎用プロセッサ、デジタル信号プロセッサ（ＤＳＰ）、特定用途向け集積回路（ＡＳＩＣ）、フィールドプログラマブルゲートアレイ（ＦＰＧＡ）、又は別のプログラマブルロジックデバイス、ディスクリートゲート若しくはトランジスタロジックデバイス、又はディスクリートハードウェア要素であってよい。汎用プロセッサは、マイクロプロセッサであってよく、又はプロセッサは、従来のあらゆるプロセッサなどであってよい。
【０１２９】
メモリ８２０は、リードオンリメモリ及びランダムアクセスメモリを含んでよく、命令及びデータをプロセッサ８１０に提供する。メモリ８２０の一部はさらに、不揮発性ランダムアクセスメモリを含んでよい。例えば、メモリ８２０はさらに、装置タイプなどの情報を格納してよい。
【０１３０】
データバスに加えて、バスシステム８３０はさらに、電力バス、制御バス、ステータス信号バスなどを含んでよい。しかしながら、説明を明確にするために、様々なバスが、この図においてバスシステム８３０と示されている。
【０１３１】
実装時に、前述の方法の各段階は、プロセッサ８１０のハードウェア統合論理回路によって、又はソフトウェア形態の命令を用いることによって実装されてよい。本発明の実施形態を参照して開示された方法の各段階は、ハードウェアプロセッサによって直接行われてよく、又はプロセッサのハードウェアとソフトウェアモジュールとの組み合わせを用いて行われてもよい。ソフトウェアモジュールは、ランダムアクセスメモリ、フラッシュメモリ、リードオンリメモリ、プログラマブルリードオンリメモリ、電気的消去可能プログラマブルメモリ、又はレジスタなどの、当技術分野において成熟した記憶媒体に配置されてよい。この記憶媒体は、メモリ８２０に配置され、プロセッサ８１０は、メモリ８２０内の情報を読み出し、プロセッサのハードウェアと共に前述の方法の各段階を完了させる。繰り返しを避けるために、詳細はここで再度説明されない。
【０１３２】
任意選択で、送受信機８４０は、送信機及び受信機を含んでよい。送信機及び受信機は、統合されてよく、又は別々の独立型モジュールであってもよい。送信機は、信号を送信するように構成されてよく、受信機は、信号を受信するように構成されてよい。任意選択で、本発明の本実施形態では、送信機は、制御情報を送信するように構成されてよく、受信機は、制御情報を受信するように構成されてよい。
【０１３３】
任意選択で、本発明の本実施形態では、複数のビームは、利用可能に構成された複数のビームであり、この場合、送受信機８４０はさらに、第１のビームのポーリング時間内に第１のビームに対応する少なくとも１個のＵＥによって送信されたアップリンク制御情報を、第１のビームのポーリング時間内に受信するか、又は第１のビームのポーリング時間内に第１のビームに対応する少なくとも１個のＵＥへダウンリンク制御情報を送信するように構成され、第１のビームは、第１のビームセットにおけるビームであり、第１のビームセットは、利用可能に構成された複数のビームにおける、複数のＵＥに対応する複数のビームを含む。
【０１３４】
任意選択で、本発明の本実施形態では、複数のビームは、利用可能に構成された複数のビームにおける、複数のＵＥに対応する複数のビームであり、送受信機８４０はさらに、ブロードキャストメッセージを複数のＵＥへ送信するように構成され、ブロードキャストメッセージは、複数のＵＥに対応する複数のビームの本数を通知するのに用いられ、複数のＵＥに対応する複数のビームの本数は、複数のＵＥに対応する複数のビームのポーリング時間を決定するために、複数のＵＥによって用いられる。
【０１３５】
この場合、送受信機８４０は具体的には、複数のＵＥに対応する複数のビームのそれぞれのポーリング時間内に第２のビームに対応する少なくとも１個のＵＥによって送信されたアップリンク制御情報を、第２のビームのポーリング時間内に受信するか、又は、第２のビームのポーリング時間内に第２のビームに対応する少なくとも１個のＵＥへダウンリンク制御情報を送信するように構成され、第２のビームは、複数のＵＥに対応する複数のビームにおけるビームである。
【０１３６】
任意選択で、本発明の本実施形態では、複数のビームは、利用可能に構成された複数のビームにおける、複数のＵＥに対応する複数のビームであり、送受信機８４０はさらに、複数のＵＥのそれぞれへ指示情報を送信するように構成され、指示情報は、複数のＵＥに対応する複数のビームにおける、複数のＵＥのそれぞれに対応するビームのポーリングシーケンスを示すのに用いられる。
【０１３７】
この場合、送受信機８４０は具体的には、第３のビームのポーリング時間内に第３のビームに対応する少なくとも１個のＵＥによって送信されたアップリンク制御情報を、第３のビームのポーリング時間内に受信するか、又は、第３のビームのポーリング時間内に第３のビームに対応する少なくとも１個のＵＥへダウンリンク制御情報を送信するように構成され、第３のビームは、複数のＵＥに対応する複数のビームにおけるビームであり、第３のビームのポーリング時間は、第３のビームのポーリングシーケンスに従って、第３のビームに対応する少なくとも１個のＵＥによって決定される。
【０１３８】
したがって、本発明の本実施形態の、無線通信システムにおいて制御情報を送信するための基地局によれば、基地局は最初に、制御チャネルによって用いられる時間ドメインリソースを決定し、時間ドメインリソースに含まれる複数のビームのポーリング時間内に複数のＵＥの制御情報を受信又は送信する。これにより、基地局と複数のＵＥとの間で、制御情報送信が実施される。
【０１３９】
図１２に示されるように、本発明の一実施形態がさらに、ＵＥ９００を提供する。ＵＥ９００は、プロセッサ９１０、メモリ９２０、バスシステム９３０、及び送受信機９４０を含む。プロセッサ９１０、メモリ９２０、及び送受信機９４０は、バスシステム９３０を用いて接続される。メモリ９２０は、命令を格納するように構成される。プロセッサ９１０は、送受信機９４０を用いて信号を受信又は送信するために、メモリ９２０に格納された命令を実行するように構成される。プロセッサ９１０は、制御チャネルによって用いられる時間ドメインリソースを決定するように構成される。制御チャネルは、複数のＵＥの制御情報を送信するように構成され、ＵＥは、複数のＵＥのうちの１つである。時間ドメインリソースは、複数のビームのポーリング時間を含む。送受信機９４０は、複数のビームのポーリング時間内にＵＥの制御情報を受信又は送信するように構成される。
【０１４０】
したがって、本発明の本実施形態の、無線通信システムにおいて制御情報を送信するためのＵＥによれば、ＵＥは最初に、制御チャネルによって用いられる時間ドメインリソースを決定し、時間ドメインリソースに含まれる複数のビームのポーリング時間内にＵＥの制御情報を受信又は送信する。これにより、基地局とＵＥとの間で、制御情報送信が実施される。
【０１４１】
本発明の本実施形態では、プロセッサ９１０は、中央処理装置（Ｃｅｎｔｒａｌ  Ｐｒｏｃｅｓｓｉｎｇ  Ｕｎｉｔ、略して「ＣＰＵ」）であってよいことを理解されたい。あるいは、プロセッサ９１０は、別の汎用プロセッサ、デジタル信号プロセッサ（ＤＳＰ）、特定用途向け集積回路（ＡＳＩＣ）、フィールドプログラマブルゲートアレイ（ＦＰＧＡ）、又は別のプログラマブルロジックデバイス、ディスクリートゲート若しくはトランジスタロジックデバイス、又はディスクリートハードウェア要素であってよい。汎用プロセッサは、マイクロプロセッサであってよく、又はプロセッサは、従来のあらゆるプロセッサなどであってよい。
【０１４２】
メモリ９２０は、リードオンリメモリ及びランダムアクセスメモリを含んでよく、命令及びデータをプロセッサ９１０に提供する。メモリ９２０の一部はさらに、不揮発性ランダムアクセスメモリを含んでよい。例えば、メモリ９２０はさらに、装置タイプなどの情報を格納してよい。
【０１４３】
データバスに加えて、バスシステム９３０はさらに、電力バス、制御バス、ステータス信号バスなどを含んでよい。しかしながら、説明を明確にするために、様々なバスが、この図においてバスシステム９３０と示されている。
【０１４４】
実装時に、前述の方法の各段階は、プロセッサ９１０のハードウェア統合論理回路によって、又はソフトウェア形態の命令を用いることによって実装されてよい。本発明の実施形態を参照して開示された方法の各段階は、ハードウェアプロセッサによって直接行われてよく、又はプロセッサのハードウェアとソフトウェアモジュールとの組み合わせを用いて行われてもよい。ソフトウェアモジュールは、ランダムアクセスメモリ、フラッシュメモリ、リードオンリメモリ、プログラマブルリードオンリメモリ、電気的消去可能プログラマブルメモリ、又はレジスタなどの、当技術分野において成熟した記憶媒体に配置されてよい。この記憶媒体は、メモリ９２０に配置され、プロセッサ９１０は、メモリ９２０内の情報を読み出し、プロセッサのハードウェアと共に前述の方法の各段階を完了させる。繰り返しを避けるために、詳細はここで再度説明されない。
【０１４５】
任意選択で、送受信機９４０は、送信機及び受信機を含んでよい。送信機及び受信機は、統合されてよく、又は別々の独立型モジュールであってもよい。送信機は、信号を送信するように構成され、受信機は、信号を受信するように構成される。任意選択で、本発明の本実施形態では、送信機は、制御情報を送信するように構成されてよく、受信機は、制御情報を受信するように構成されてよい。
【０１４６】
任意選択で、本発明の本実施形態では、複数のビームは、利用可能に構成された複数のビームであり、プロセッサ９１０はさらに、ＵＥに対応するビームのビーム識別子ＩＤに従って、利用可能に構成された複数のビームにおける、ＵＥに対応するビームのポーリング時間を決定するように構成される。
【０１４７】
送受信機９４０は具体的には、ＵＥに対応するビームのポーリング時間内にＵＥの制御情報を受信又は送信するように構成される。
【０１４８】
任意選択で、本発明の本実施形態では、複数のビームは、利用可能に構成された複数のビームにおける、複数のＵＥに対応する複数のビームであり、送受信機９４０はさらに、基地局によって送信されたブロードキャストメッセージを受信するように構成され、ブロードキャストメッセージは、複数のＵＥに対応する複数のビームの本数を通知するのに用いられる。
【０１４９】
プロセッサ９１０はさらに、複数のＵＥに対応する複数のビームの本数に従って、複数のＵＥに対応する複数のビームのポーリング時間を決定するように構成される。
【０１５０】
送受信機９４０は具体的には、複数のＵＥに対応する複数のビームのポーリング時間内にＵＥの制御情報を受信又は送信するように構成される。
【０１５１】
任意選択で、本発明の本実施形態では、複数のビームは、利用可能に構成された複数のビームにおける、複数のＵＥに対応する複数のビームであり、送受信機９４０はさらに、基地局によって送信された指示情報を受信するように構成され、指示情報は、複数のＵＥに対応する複数のビームにおける、ＵＥに対応するビームのポーリングシーケンスを示すのに用いられる。
【０１５２】
プロセッサ９１０はさらに、複数のＵＥに対応する複数のビームにおける、ＵＥに対応するビームのポーリングシーケンスに従って、複数のＵＥに対応する複数のビームにおける、ＵＥに対応するビームのポーリング時間を決定するように構成される。
【０１５３】
この場合、送受信機９４０は具体的には、ＵＥに対応するビームのポーリング時間内にＵＥの制御情報を受信又は送信するように構成される。
【０１５４】
したがって、本発明の本実施形態の、無線通信システムにおいて制御情報を送信するためのＵＥによれば、ＵＥは最初に、制御チャネルによって用いられる時間ドメインリソースを決定し、時間ドメインリソースに含まれる複数のビームのポーリング時間内にＵＥの制御情報を受信又は送信する。これにより、基地局とＵＥとの間で、制御情報送信が実施される。
【０１５５】
「及び／又は」という用語は本明細書では、関連対象物の説明について、対応関係のみを説明し、３つの関係が存在し得ることを表す。例えば、Ａ及び／又はＢは、以下の3つの場合、すなわち、Ａだけが存在すること、Ａ及びＢが両方とも存在すること、Ｂだけが存在することを表してよい。さらに、記号「／」は本明細書では、概して、関連対象物間の「又は」の関係を示す。
【０１５６】
前述のプロセスの連続番号は、本発明の様々な実施形態において実行順序を意味するものではないことを理解されたい。プロセスの実行順序は、プロセスの機能及び内部論理に従って決定されるべきであり、本発明の実施形態の実装プロセスに対する何らかの限定と解釈されるべきではない。
【０１５７】
当業者であれば、本明細書に開示された実施形態に説明されている例と組み合わせて、ユニット及びアルゴリズム段階が、電子的ハードウェア、又はコンピュータソフトウェアと電子的ハードウェアの組み合わせによって実装され得ることを認識することができる。これらの機能がハードウェアによって実行されるか、又はソフトウェアによって実行されるかは、技術的解決手段の特定の用途及び設計制約条件によって決まる。当業者であれば、説明された機能を特定の用途ごとに実装するために、異なる方法を用いることがあるが、その実装が本発明の範囲を越えるものとみなされるべきではない。
【０１５８】
簡便且つ簡潔な説明のために、前述のシステム、装置、及びユニットの詳細な動作プロセスについては、前述の方法の実施形態における対応するプロセスが参照されてよく、詳細はここで再度説明されないことが、当業者によって明確に理解されてよい。
【０１５９】
本出願において提供されるいくつかの実施形態では、開示されたシステム、装置、及び方法が他の方式で実装され得ることを理解されたい。例えば、説明された装置の実施形態は、単に一例にすぎない。例えば、ユニットの分割は、単に論理機能の分割にすぎず、実際の実装では他の分割であってよい。例えば、複数のユニット又は要素は、別のシステムに組み合わされるか、又は統合されてよく、あるいは、一部の機能が無視されるか、又は実行されなくてもよい。さらに、示された又は論じられた、相互連結若しくは直接連結又は通信接続は、いくつかのインタフェースを用いて実装されてよい。装置間又はユニット間の間接連結又は通信接続は、電子的形態、機械的形態、又は他の形態で実装されてよい。
【０１６０】
別々の部分として説明されたユニットは、物理的に分かれていてもいなくてもよく、ユニットとして示された部分が、物理ユニットであってもなくてもよく、１つの場所に配置されてもよく、又は複数のネットワークユニット上に分散されてもよい。実施形態の解決手段の目的を実現するために、ユニットの一部又は全てが、実際の要件に従って選択されてよい。
【０１６１】
さらに、本発明の実施形態の機能ユニットが、１つの処理ユニットに統合されてよく、又はそれぞれのユニットが物理的に単独で存在してよく、又は２つ若しくはそれより多くのユニットが１つのユニットに統合される。
【０１６２】
機能がソフトウェア機能ユニットの形態で実装され、独自の製品として販売されるか又は用いられる場合、それらの機能は、コンピュータ可読記憶媒体に格納され得る。そのような理解に基づいて、本質的には本発明の技術的解決手段、又は従来技術に寄与する部分、又は技術的解決手段の一部が、ソフトウェア製品の形態で実装され得る。ソフトウェア製品は、記憶媒体に格納され、本発明の実施形態において説明された方法の段階の全て又は一部を行うようコンピュータ装置（パーソナルコンピュータ、サーバ、又はネットワーク装置であってよい）に命令するためのいくつかの命令を含む。前述の記憶媒体は、プログラムコードを格納することができるあらゆる媒体を含み、それらの媒体には、ＵＳＢフラッシュドライブ、着脱可能なハードディスク、リードオンリメモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク、又は光ディスクなどがある。
【０１６３】
前述の説明は、単に本発明の特定の実装例にすぎず、本発明の保護範囲を限定することは意図されていない。本発明において開示された技術的範囲内で、当業者によって容易に考え出されるあらゆる変形例又は置換例は、本発明の保護範囲内に含まれるものとする。したがって、本発明の保護範囲は、特許請求の範囲の保護範囲に従うものとする。
【図１】
0006513883.tif 000014
【図２】
0006513883.tif 000015
【図３】
0006513883.tif 000016
【図４】
0006513883.tif 000017
【図５】
0006513883.tif 000018
【図６】
0006513883.tif 000019
【図７】
0006513883.tif 000020
【図８】
0006513883.tif 000021
【図９】
0006513883.tif 000022
【図１０】
0006513883.tif 000023
【図１１】
0006513883.tif 000024
【図１２】
0006513883.tif 000025